(57)【要約】【課題】省電力モードの低消費電力状態から通常消費電力状態に復帰するにあたり、省電力モードからの復帰動作の制御を常に行うことに伴う不都合を回避できると共に、省電力モード中の画像形成装置の動作状態に基づいた省電力モードからの復帰動作の制御を確実に行うことができる画像形成装置を提供する。【解決手段】通常消費電力状態から通常消費電力状態よりも供給エネルギーを小さくした低消費電力状態にする省電力モードを有する画像形成装置は、画像形成装置の動作状態を検知する検知部と、検知部の検知結果を記憶する記憶部とを備え、省電力モード中に画像形成装置の動作状態を検知部で検知して検知部の検知結果を記憶部に記憶させ、省電力モードの低消費電力状態から通常消費電力状態に復帰するにあたり、記憶部に記憶されている検知部の検知結果に基づいて省電力モードからの復帰動作の制御を変更する。【選択図】図１５
2017074708.tif 000002
【特許請求の範囲】
【請求項１】
予め定めた所定の通常消費電力状態から前記通常消費電力状態よりも供給エネルギーを小さくした低消費電力状態にする省電力モードを有する画像形成装置であって、
当該画像形成装置の動作状態を検知する検知部と、
前記検知部の検知結果を記憶する記憶部と
を備え、
前記省電力モード中に当該画像形成装置の動作状態を前記検知部で検知して前記検知部の検知結果を前記記憶部に記憶させ、
前記省電力モードの前記低消費電力状態から前記通常消費電力状態に復帰するにあたり、前記記憶部に記憶されている前記検知部の検知結果に基づいて前記省電力モードからの復帰動作の制御を変更することを特徴とする画像形成装置。
【請求項２】
請求項１に記載の画像形成装置であって、
開閉可能な構成とされた開閉部材を備え、
前記検知部は、前記開閉部材の開閉状態を検知する構成とされており、
前記省電力モード中に前記開閉部材の開閉状態を前記検知部で検知して前記検知部の検知結果による前記開閉部材の開閉状態を前記記憶部に記憶させ、
前記省電力モードの前記低消費電力状態から前記通常消費電力状態に復帰するにあたり、前記記憶部に記憶されている前記検知部の検知結果により前記省電力モード中に前記開閉部材の開閉状態を検知した場合に、前記省電力モードからの復帰動作の制御として予め定めた所定の構成部材へのイニシャル動作の制御を行う一方、前記記憶部に記憶されている前記検知部の検知結果により前記省電力モード中に前記開閉部材の開閉状態を検知しなかった場合に、前記省電力モードからの復帰動作の制御として前記イニシャル動作の制御を行わないことを特徴とする画像形成装置。
【請求項３】
請求項２に記載の画像形成装置であって、
前記通常消費電力状態において、前記開閉部材の開閉状態を前記検知部で検知し、前記検知部の検知結果により前記開閉部材の開放状態を検知した後に前記開閉部材の閉じ状態を検知すると、前記イニシャル動作の制御を行うことを特徴とする画像形成装置。
【請求項４】
請求項２又は請求項３に記載の画像形成装置であって、
１枚又は複数枚のシートを載置するシート載置部と、昇降可能な構成とされ、且つ、上昇位置から下降して前記シート載置部に載置された１枚又は複数枚のシートを１枚ずつに送るためのピックアップローラを有するシート供給装置とを備え、
前記イニシャル動作は、前記ピックアップローラを前記上昇位置に上昇させておく動作であることを特徴とする画像形成装置。
【請求項５】
請求項４に記載の画像形成装置であって、
前記シートとして原稿を移動させて原稿画像を読み取る原稿移動読取構成を備えた画像読取装置を備え、
前記画像読取装置は、前記ピックアップローラを有する原稿送り装置を備え、
前記開閉部材は、原稿送り装置本体に対して開閉可能であり、且つ、前記ピックアップローラが設けられていることを特徴とする画像形成装置。
【請求項６】
請求項４に記載の画像形成装置であって、
前記シートとして原稿を移動させて原稿画像を読み取る原稿移動読取構成と、前記シートとして原稿を原稿載置台に載置して原稿画像を読み取る原稿固定読取構成とを備えた画像読取装置を備え、
前記画像読取装置は、前記ピックアップローラを有する原稿送り装置と、前記原稿載置台を有する原稿読取装置とを備え、
前記開閉部材は、前記原稿読取装置に対して開閉可能であり、且つ、閉じた状態で前記原稿載置台に載置された前記原稿を押さえる前記原稿送り装置であることを特徴とする画像形成装置。
【発明の詳細な説明】
【技術分野】
【０００１】
本発明は、複写機、複合機、ファクシミリ装置などの画像形成装置に関し、特に、予め定めた所定の通常消費電力状態から通常消費電力状態よりも供給エネルギーを小さくした低消費電力状態にする省電力モードを有する画像形成装置に関する。
【背景技術】
【０００２】
複写機、複合機、ファクシミリ装置などの画像形成装置として、省エネルギー化を実現するために、予め定めた所定の通常消費電力状態から通常消費電力状態よりも供給エネルギーを小さくした低消費電力状態にする省電力モード（省エネルギーモード、節電モードともいう。）を有するものがある。
【０００３】
省電力モードを有する画像形成装置は、予め定めた所定の省電力モード条件が整った場合（例えば、画像形成装置の待機状態が予め定めた所定の時間継続した場合及び／又は人を検知する人感センサーの検知結果により人が居ないことを検出した場合）に省電力モードに入り、省電力モードにおいて、予め定めた所定の省電力モード解除条件が整った場合（例えば、ユーザーが予め定めた所定の操作を行った場合及び／又は人感センサーの検知結果により人が居ることを検出した場合）に省電力モードの低消費電力状態から通常消費電力状態に復帰させる構成を備える。
【先行技術文献】
【特許文献】
【０００４】
【特許文献１】特開２０１２−９５２４２号公報
【発明の概要】
【発明が解決しようとする課題】
【０００５】
ところで、省電力モードを有する従来の画像形成装置では、省電力モードの低消費電力状態から通常消費電力状態に復帰するにあたり、省電力モードからの復帰動作（例えばピックアップローラなどの予め定めた所定の構成部材へのイニシャル動作：初期化動作）の制御を行うのであるが、この場合、必ずしも省電力モードからの復帰動作の制御を行う必要がないにも拘わらず、省電力モードからの復帰動作の制御を常に行っていたために、省電力モードからの復帰動作の制御を常に行っていたことに伴う不都合が発生する。
【０００６】
これについて、１枚又は複数枚のシート（例えば原稿や記録用紙等の記録シート）を載置するシート載置部（具体的には給紙トレイ）と、昇降可能な構成とされ、且つ、上昇位置から下降してシート載置部に載置された１枚又は複数枚のシートを１枚ずつに送るためのピックアップローラを有するシート供給装置（具体的には給紙装置）とを備えた画像形成装置において省電力モードからの復帰動作としてピックアップローラへのイニシャル動作を行う場合を例にとって以下に説明する。
【０００７】
かかる画像形成装置においては、ピックアップローラが、シートをシート載置部にセットする前から意図せずに（何らかの要因で）降下していると、シート載置部にシートを載置できない或いはシート載置部にシートを載置しづらい。
【０００８】
ここで、ピックアップローラが意図せずに下降する一例としては、画像形成装置は、シートとして原稿を移動させて原稿画像を読み取る原稿移動読取構成を備えた画像読取装置を備え、画像読取装置は、ピックアップローラを有する原稿送り装置を備え、原稿送り装置は、開閉部材として、原稿送り装置本体に対して開閉可能な構成とされてピックアップローラが設けられた開閉ガイド部材を備え、開閉ガイド部材がユーザーにより開閉操作されることで、開放に伴うピックアップローラへの駆動伝達機構を構成するギヤ等の駆動連結部材の離間及び／又は開閉操作による振動等によりピックアップローラが上昇位置から下降する態様を例示できる。
【０００９】
また、ピックアップローラが意図せずに下降する他の例としては、画像形成装置は、原稿移動読取構成に加えてシートとして原稿を原稿載置台に載置して原稿画像を読み取る原稿固定読取構成を備えた画像読取装置を備え、画像読取装置は、ピックアップローラを有する原稿送り装置と、原稿載置台を有する原稿読取装置とを備え、原稿送り装置は、開閉部材として、原稿読取装置に対して開閉可能な構成とされて閉じた状態で原稿載置台に載置された原稿を上から押さえる原稿押さえ部材を兼ね、原稿送り装置がユーザーにより開閉操作されることで、開閉操作による振動等によりピックアップローラが上昇位置から下降する態様を例示できる。
【００１０】
また、ピックアップローラが意図せずに下降するさらに他の例としては、画像形成装置は、画像を形成する画像形成装置本体を備え、画像形成装置本体には、画像形成装置本体に対して着脱可能な構成とされてシートとして１枚又は複数枚の記録シートを載置するシート載置部（具体的には給紙トレイ）が設けられ、シート載置部がユーザーにより開閉操作されることで、開閉操作による振動等によりピックアップローラが上昇位置から下降する態様を例示できる。
【００１１】
また、ピックアップローラが意図せずに下降するさらに他の例としては、画像形成装置本体には、画像形成装置本体に対して開閉可能な構成とされた開閉部材が設けられ、開閉部がユーザーにより開閉操作されることで、開放に伴うピックアップローラへの駆動伝達機構を構成するギヤ等の駆動連結部材の離間及び／又は開閉操作による振動等によりピックアップローラが上昇位置から下降する態様を例示できる。画像形成装置本体に対して開閉可能な構成とされた開閉部材としては、開閉カバー部材（例えば、前面を覆う前カバー部材）や、開閉ガイド部材（例えば、側面を覆う側面ガイド部材）を例示できる。
【００１２】
かかる不都合を解消するために、従来の画像形成装置は、例えば、当該画像形成装置を起動したとき（電源をオンした状態で再起動する場合も含む。）、或いは、ジョブ（１回の画像形成動作）が終了したときに、構成部材へのイニシャル動作（例えばピックアップローラを上昇位置に上昇させておくイニシャル動作）の制御を行う他、当該画像形成装置の動作状態を検知する検知部として開閉部材の開閉状態を検知する検知部を備え、通常消費電力状態において検知部の検知結果により開閉部材の開放状態を検知した後に開閉部材の閉じ状態を検知したときに、イニシャル動作（例えば、開閉部材がユーザーによって開閉操作されてピックアップローラが上昇位置から意図せずに降下したとして或いは降下した可能性があるとして、ピックアップローラを上昇位置に上昇させておくイニシャル動作）の制御を行う。ここで、イニシャル動作は、例えば、モータやソレノイドを用いて、ピックアップローラを上昇させておくことができる。
【００１３】
また、従来の画像形成装置は、省電力モードの低消費電力状態から通常消費電力状態に復帰するときにも、省電力モードからの復帰動作の制御として構成部材へのイニシャル動作の制御を行う。この場合、省電力モードの低消費電力状態から通常消費電力状態に復帰するにあたり、開閉部材の開閉状態に関わらず（すなわち省電力モード中に開閉部材の開閉状態を検知することなく）、省電力モードからの復帰動作の制御として常にイニシャル動作の制御を行うようになっていた。
【００１４】
しかしながら、このような従来の画像形成装置では、省電力モードの低消費電力状態から通常消費電力状態に復帰するにあたり、開閉部材の開閉状態に関わらず、省電力モードからの復帰動作の制御として常にイニシャル動作の制御を行うので、省電力モードからの復帰動作の制御を常に行うことに伴う不都合（例えば、ユーザーはイニシャル動作の制御を行う間待たされる、構成部材をイニシャル動作（例えばピックアップローラを上昇）させる際に発生する騒音がユーザーを不快に感じさせる、或いは、人感センサーの検知結果により人が居ることを検出した場合に省電力モードの低消費電力状態から通常消費電力状態に復帰させる構成では、ユーザーが画像形成装置に近づいただけで、イニシャル動作の制御を行うことがユーザーを不快に感じさせるといった不都合）を招く。
【００１５】
この点に関し、特許文献１は、原稿送り装置でのイニシャル動作を必要最小限とするために、イニシャル動作は原則行わず（特許文献１の段落［００９３］参照）、省電力モードの解除の際に省電力モードに移行する直前の原稿送り装置の状態がカバー（開閉部材）の開状態等であれば、イニシャル動作を行うこと（特許文献１の段落［００９４］，［００９５］，［００９９］及び図７参照）を開示している。
【００１６】
ところが、特許文献１に記載の画像形成装置では、省電力モード中に画像形成装置の動作状態（具体的には開閉部材の開閉状態）を検知していないので、省電力モード中の画像形成装置の動作状態に基づいた省電力モードからの復帰動作の制御を確実に行うことができない。
【００１７】
そこで、本発明は、省電力モードの低消費電力状態から通常消費電力状態に復帰するにあたり、省電力モードからの復帰動作の制御を常に行うことに伴う不都合を回避できると共に、省電力モード中の画像形成装置の動作状態に基づいた省電力モードからの復帰動作の制御を確実に行うことができる画像形成装置を提供することを目的とする。
【課題を解決するための手段】
【００１８】
前記課題を解決するために、本発明に係る画像形成装置は、予め定めた所定の通常消費電力状態から前記通常消費電力状態よりも供給エネルギーを小さくした低消費電力状態にする省電力モードを有する画像形成装置であって、当該画像形成装置の動作状態を検知する検知部と、前記検知部の検知結果を記憶する記憶部とを備え、前記省電力モード中に当該画像形成装置の動作状態を前記検知部で検知して前記検知部の検知結果を前記記憶部に記憶させ、前記省電力モードの前記低消費電力状態から前記通常消費電力状態に復帰するにあたり、前記記憶部に記憶されている前記検知部の検知結果に基づいて前記省電力モードからの復帰動作の制御を変更することを特徴とする。
【００１９】
本発明において、開閉可能な構成とされた開閉部材を備え、前記検知部は、前記開閉部材の開閉状態を検知する構成とされており、前記省電力モード中に前記開閉部材の開閉状態を前記検知部で検知して前記検知部の検知結果による前記開閉部材の開閉状態を前記記憶部に記憶させ、前記省電力モードの前記低消費電力状態から前記通常消費電力状態に復帰するにあたり、前記記憶部に記憶されている前記検知部の検知結果により前記省電力モード中に前記開閉部材の開閉状態を検知した場合に、前記省電力モードからの復帰動作の制御として予め定めた所定の構成部材へのイニシャル動作の制御を行う一方、前記記憶部に記憶されている前記検知部の検知結果により前記省電力モード中に前記開閉部材の開閉状態を検知しなかった場合に、前記省電力モードからの復帰動作の制御として前記イニシャル動作の制御を行わない態様を例示できる。
【００２０】
本発明において、前記通常消費電力状態において、前記開閉部材の開閉状態を前記検知部で検知し、前記検知部の検知結果により前記開閉部材の開放状態を検知した後に前記開閉部材の閉じ状態を検知すると、前記イニシャル動作の制御を行う態様を例示できる。
【００２１】
本発明において、１枚又は複数枚のシートを載置するシート載置部と、昇降可能な構成とされ、且つ、上昇位置から下降して前記シート載置部に載置された１枚又は複数枚のシートを１枚ずつに送るためのピックアップローラを有するシート供給装置とを備え、前記イニシャル動作は、前記ピックアップローラを前記上昇位置に上昇させておく動作である態様を例示できる。
【００２２】
本発明において、前記シートとして原稿を移動させて原稿画像を読み取る原稿移動読取構成を備えた画像読取装置を備え、前記画像読取装置は、前記ピックアップローラを有する原稿送り装置を備え、前記開閉部材は、原稿送り装置本体に対して開閉可能であり、且つ、前記ピックアップローラが設けられている態様を例示できる。
【００２３】
本発明において、前記シートとして原稿を移動させて原稿画像を読み取る原稿移動読取構成と、前記シートとして原稿を原稿載置台に載置して原稿画像を読み取る原稿固定読取構成とを備えた画像読取装置を備え、前記画像読取装置は、前記ピックアップローラを有する原稿送り装置と、前記原稿載置台を有する原稿読取装置とを備え、前記開閉部材は、前記原稿読取装置に対して開閉可能であり、且つ、閉じた状態で前記原稿載置台に載置された前記原稿を押さえる前記原稿送り装置である態様を例示できる。
【発明の効果】
【００２４】
本発明によると、省電力モードの低消費電力状態から通常消費電力状態に復帰するにあたり、省電力モードからの復帰動作の制御を常に行うことに伴う不都合を回避できると共に、省電力モード中の画像形成装置の動作状態に基づいた省電力モードからの復帰動作の制御を確実に行うことが可能となる。
【図面の簡単な説明】
【００２５】
【図１】本発明の実施の形態に係る画像形成装置の概略構成を示す斜視図である。
【図２】図１に示す画像形成装置の概略構成を透視して示す正面図である。
【図３】図１及び図２に示す画像読取装置の概略構成を透視して示す正面図である。
【図４】図１及び図２に示す画像読取装置の原稿送り装置における開閉ガイド部材が原稿送り装置本体に対して開放されている状態を示す斜視図である。
【図５】図１及び図２に示す画像読取装置における原稿送り装置が原稿読取装置に対して開放されている状態を示す斜視図である。
【図６】画像読取装置からシート供給装置部分を取り出して示す斜視図である。
【図７】第１開閉検知スイッチ及び第１作動部の作動状態を説明するための説明図であって、開閉ガイド部材が原稿送り装置本体に対して開放された状態において第１開閉検知スイッチ及び第１作動部を側面側から視た斜視図である。
【図８】第２開閉検知スイッチ及び第２作動部の作動状態を説明するための説明図であって、原稿送り装置が原稿読取装置に対して開放された状態において第２開閉検知スイッチ及び第２作動部を正面側から視た斜視図である。
【図９】第３開閉検知スイッチ及び第３作動部の作動状態を説明するための説明図であって、（ａ）は、給紙トレイが画像形成装置本体に対して開放されている状態を示す斜視図であり、（ｂ）は、給紙トレイの開閉状態を第３開閉検知スイッチで検知している状態を示す概略側面図である。
【図１０】第４開閉検知スイッチ及び第４作動部の作動状態を説明するための説明図であって、開閉カバー部材が画像形成装置本体に対して開放されている状態を示す斜視図である。
【図１１】第５開閉検知スイッチ及び第５作動部の作動状態を説明するための説明図であって、開閉ガイド部材が画像形成装置本体に対して開放されている状態を示す斜視図である。
【図１２】画像形成装置における開閉部材の開閉検知構成を示すシステムブロック図である。
【図１３】記憶部に格納される開閉部材の閉じ情報及び開放情報を模式的に示す模式図である。
【図１４】通常消費電力状態での第１実施形態から第５実施形態に係るイニシャル動作の制御の一例を示すフローチャートである。
【図１５】省電力モードでの第１実施形態から第５実施形態に係るイニシャル動作の制御の一例を示すフローチャートである。
【発明を実施するための形態】
【００２６】
以下、本発明に係る実施の形態について図面を参照しながら説明する。
【００２７】
［画像形成装置］
図１は、本発明の実施の形態に係る画像形成装置１００の概略構成を示す斜視図である。図２は、図１に示す画像形成装置１００の概略構成を透視して示す正面図である。
【００２８】
図１及び図２に示すように、画像形成装置１００は、画像読取装置２００及び画像形成装置本体１１０を備えており、画像読取装置２００により読み取った画像データ、又は、外部機器から送られてきた画像データに基づいて画像形成装置本体１１０によりモノクロ画像又はカラー画像を記録用紙等の記録シートＰ（図２参照）に画像形成する。
【００２９】
画像読取装置２００は、画像形成装置本体１１０の上面に搭載されている。画像読取装置２００は、原稿送り装置３００及び原稿読取装置４００を備え、原稿送り装置３００で搬送される原稿Ｇ（シートの一例）（図２参照）を原稿読取装置４００で読み取るか、或いは、原稿載置台４１０（図２参照）に載置された原稿Ｇを原稿読取装置４００で読み取り、読み取った原稿Ｇの画像を画像データとして出力する。
【００３０】
画像形成装置１００は、電子写真方式の画像形成装置であり、複数の像担持体（具体的には感光体）を所定方向（この例では左右方向Ｙ）に並設した構成、所謂タンデム式のカラー画像形成装置とされている。この例では、画像形成装置１００は、フルカラー画像を形成できる中間転写方式のカラー複合機とされている。なお、本実施の形態では、画像形成装置１００を、タンデム式のカラー画像形成装置としたが、その他のカラー画像形成装置としてもよい。また、画像形成装置１００を、カラー画像形成装置としたが、モノクロ画像形成装置としてもよい。
【００３１】
画像形成装置本体１１０には、図２に示すように、感光体１１（具体的には感光体ドラム）、除電装置１２、帯電装置として作用する帯電器１３、露光装置１４、現像装置１５、一次転写装置として作用する中間転写ベルト装置１６、ドラムクリーニング装置１７、二次転写装置１８、ベルトクリーニング装置１９、定着装置２０、シート搬送路Ｒ１（具体的には記録シートＰの搬送路）、１又は複数（この例では複数）の給紙トレイ３１（図１も参照）及び排出トレイ３２（図１も参照）が設けられている。
【００３２】
画像形成装置本体１１０では、感光体１１の表面を帯電器１３により帯電し、その帯電域に画像露光して静電潜像を露光装置１４により形成し、この静電潜像を現像装置１５によりトナー像として可視像化（現像）し、該可視像化されたトナー像を中間転写ベルト装置１６に静電的に転写し、中間転写ベルト装置１６に転写されたトナー像を二次転写装置１８により記録シートＰに転写し、さらに、トナー像を転写した記録シートＰにトナー像を定着装置２０により定着させる。すなわち、画像形成装置本体１１０は、記録シートＰに画像を形成する画像形成部として作用する。
【００３３】
カラー画像は、ブラック（Ｋ）、シアン（Ｃ）、マゼンタ（Ｍ）及びイエロー（Ｙ）の各色のトナー像が重ねられて形成される。このため、感光体１１、除電装置１２、帯電器１３、現像装置１５及びドラムクリーニング装置１７は、各色に応じた４種類のトナー像を形成するようにそれぞれ４つずつ設けられ、それぞれがブラック、シアン、マゼンタ及びイエローに対応付けられて、４つの画像形成ステーションＰａ，Ｐｂ，Ｐｃ，Ｐｄが構成されている。
【００３４】
各画像形成ステーションＰａ，Ｐｂ，Ｐｃ，Ｐｄの何れにおいても、以下に示す同様の動作がなされる。
【００３５】
すなわち、除電装置１２〜１２は、所定の回転方向Ｂ（図２参照）に回転駆動される感光体１１〜１１の表面に光を照射して感光体１１〜１１の表面における電荷（残留電荷）を除去（除電）する。
【００３６】
帯電器１３〜１３は、除電装置１２〜１２にて除電された感光体１１〜１１の表面を所定の電位に均一に帯電させる。
【００３７】
露光装置１４は、帯電器１３〜１３にて一様に帯電された感光体１１〜１１の表面を露光して感光体１１〜１１の表面に静電潜像を形成する。
【００３８】
現像装置１５〜１５は、露光装置１４にて形成された感光体１１〜１１の表面の静電潜像を現像して、感光体１１〜１１の表面にトナー像を形成する。
【００３９】
各画像形成ステーションＰａ，Ｐｂ，Ｐｃ，Ｐｄでは、かかる一連の動作によって、感光体１１〜１１の表面に各色のトナー像が形成される。
【００４０】
中間転写ベルト装置１６は、１次転写ローラ１６ａ、中間転写ベルト１６ｂ、転写駆動ローラ１６ｃ、転写従動ローラ１６ｄ及びテンションローラ１６ｅを備えている。１次転写ローラ１６ａは、各色に応じた４種類のトナー像を形成するようにそれぞれ４つずつ中間転写ベルト１６ｂの内側に設けられている。１次転写ローラ１６ａ〜１６ａは、感光体１１〜１１の表面に形成された各色のトナー像を矢印Ｃの方向へ周回移動する中間転写ベルト１６ｂに転写する。中間転写ベルト１６ｂは、転写駆動ローラ１６ｃと転写従動ローラ１６ｄとテンションローラ１６ｅとに巻掛けられている。
【００４１】
ドラムクリーニング装置１７〜１７は、中間転写ベルト１６ｂに転写されずに残った感光体１１〜１１の表面における残留トナーを除去及び回収する。
【００４２】
二次転写装置１８は、二次転写ローラ１８ａを備えている。二次転写ローラ１８ａは、中間転写ベルト１６ｂとの間にニップ域を形成するように設けられている。二次転写ローラ１８ａは、シート搬送路Ｒ１を通って搬送されてきた記録シートＰをニップ域に挟み込んで搬送し、ニップ域を通過する際に、中間転写ベルト１６ｂの表面に形成されたトナー像（例えばカラートナー像）を記録シートＰ上に転写する。
【００４３】
ベルトクリーニング装置１９は、記録シートＰに転写されずに中間転写ベルト１６ｂの表面に残った残留トナーを除去及び回収する。
【００４４】
定着装置２０は、加熱ローラ２１及び加圧ローラ２２を備え、加熱ローラ２１及び加圧ローラ２２の間にトナー像が転写された記録シートＰを挟み込んで加熱及び加圧し、トナー像を記録シートＰに定着させる。
【００４５】
給紙トレイ３１〜３１は、記録シートＰを積載するようになっている。給紙トレイ３１〜３１の記録シートＰの供給側には、ピックアップローラ３３が設けられている。ピックアップローラ３３は、記録シートＰを給紙トレイ３１から１枚ずつ引き出して、シート搬送路Ｒ１に搬送する。給紙トレイ３１〜３１は、開閉可能な構成とされた開閉部材として作用する。ここで、開閉部材は、開閉動作により原稿送り装置３００におけるピックアップローラ３２１が下降し得るものである。このことは、後述する開閉部材についても同様である。
【００４６】
ここで、給紙トレイ３１〜３１は、画像形成装置本体１１０に対して着脱可能な構成とされて１枚又は複数枚の記録シートＰを載置するシート載置部として作用する。ピックアップローラ３３は、昇降可能な構成とされ、且つ、上昇位置から下降して給紙トレイ３１〜３１に載置された１枚又は複数枚の記録シートＰを１枚ずつに送るためのものである。
【００４７】
また、画像形成装置本体１１０には、ピックアップローラ３３を有するシート供給装置１１１と、シート供給装置１１１から送られてきた記録シートＰを搬送するシート搬送装置１１２とが設けられている。
【００４８】
シート搬送装置１１２は、レジストローラ３４、各搬送ローラ３５〜３５及びこれらを駆動する駆動部（図示せず）を備えている。
【００４９】
シート搬送装置１１２は、シート搬送路Ｒ１において記録シートＰを二次転写装置１８や定着装置２０を経由して排出ローラ３６に搬送する。シート搬送路Ｒ１の記録シートＰの排出側には、排出ローラ３６が設けられている。排出ローラ３６は、シート搬送路Ｒ１で搬送されてきた記録シートＰを排出トレイ３２に排出する。シート搬送路Ｒ１には、レジストローラ３４及び各搬送ローラ３５〜３５が設けられている。レジストローラ３４は、記録シートＰを一端停止させて記録シートＰの先端を揃えた後、中間転写ベルト１６ｂと二次転写ローラ１８ａとの間のニップ域におけるトナー像の転写タイミングに合わせて記録シートＰを搬送する。各搬送ローラ３５〜３５は、記録シートＰの搬送を促すローラである。
【００５０】
また、シート搬送路Ｒ１は、反転経路Ｒｒを備えている。画像形成装置本体１１０は、記録シートＰの表面だけでなく、裏面に画像形成を行う場合は、記録シートＰを排出ローラ３６から反転経路Ｒｒへ逆方向に搬送して、記録シートＰの表裏を反転させてレジストローラ３４へ再度導き、記録シートＰの表面と同様にして、記録シートＰの裏面にトナー像を定着させて排出トレイ３２へ排出する。
【００５１】
また、画像形成装置本体１１０には、画像形成装置本体１１０に対して開閉可能な構成とされた開閉部材として、開閉カバー部材１１３（この例では前面を覆う前カバー部材）（図１参照）と、開閉ガイド部材１１４（この例では右側の側面を覆う側面ガイド部材）（図１参照）とが設けられている。開閉ガイド部材１１４は、画像形成装置本体１１０に対して閉じた状態でシート搬送路Ｒ１（具体的には記録シートＰのシート搬送路）を構成する。
【００５２】
なお、図１及び図２並びに後述する図３から図１１において、符号Ｘは、幅方向（奥行き方向）を示しており、符号Ｙは、幅方向Ｘに直交する左右方向Ｙを示しており、符号Ｚは、上下方向（高さ方向）を示している。また、図１及び図２において、説明していない符号の部材については、後ほど説明する。
【００５３】
［画像読取装置の全体構成］
図３は、図１及び図２に示す画像読取装置２００の概略構成を透視して示す正面図である。図４は、図１及び図２に示す画像読取装置２００の原稿送り装置３００における開閉ガイド部材３１１が原稿送り装置本体３００ａに対して開放されている状態を示す斜視図である。図５は、図１及び図２に示す画像読取装置２００における原稿送り装置３００が原稿読取装置４００に対して開放されている状態を示す斜視図である。また、図６は、画像読取装置２００からシート供給装置３２０部分を取り出して示す斜視図である。
【００５４】
画像読取装置２００は、縮小光学系タイプの画像読取装置とされている。画像読取装置２００は、原稿固定方式により原稿Ｇを原稿載置台４１０に載置して原稿画像を読み取る原稿固定読取構成と、原稿移動方式により原稿Ｇを移動させて原稿画像を読み取る原稿移動読取構成とを備えている。
【００５５】
原稿固定読取構成では、原稿載置台４１０を構成する原稿台ガラス４１１（図３参照）上に載置される原稿Ｇを照明装置として作用する光源ユニット４２０（図３参照）にて原稿台ガラス４１１を介して照明し、光源ユニット４２０を副走査方向（左右方向Ｙ）の一方側に移動させつつ光源ユニット４２０により照明された原稿Ｇからの反射光を副走査方向に直交する主走査方向（幅方向Ｘ）に走査して原稿画像を読み取る。
【００５６】
原稿移動読取構成では、原稿送り装置３００で原稿載置台４１０を構成する原稿読取ガラス４１２（図３参照）上を通過するように予め定めた所定の搬送方向Ｙ１（図３参照）に搬送される原稿Ｇを、原稿読取装置４００において定位置Ｖ（図３参照）に位置する光源ユニット４２０にて原稿読取ガラス４１２を介して照明しつつ光源ユニット４２０により照明された原稿Ｇからの反射光を主走査方向（幅方向Ｘ）に走査して原稿画像を読み取る。
【００５７】
詳しくは、原稿読取装置４００は、図３に示すように、原稿台ガラス４１１、原稿読取ガラス４１２及び光源ユニット４２０に加えて、光源ユニット４２０を移動させる光学系駆動部（図示せず）、ミラーユニット４３０、集光レンズ４４０及び光電変換素子（ここではＣＣＤ）４５０を備えており、これらの部材は枠体４００ａ内に収容されている。光源ユニット４２０は、原稿Ｇへ向けて光を照射する光源４２１と、原稿Ｇからの反射光をミラーユニット４３０へ導く第１ミラー４２２とを有している。
【００５８】
原稿台ガラス４１１及び原稿読取ガラス４１２は、透明なガラス板からなり、主走査方向（幅方向Ｘ）の両端部が枠体４００ａに載置されている。なお、開閉部材は、原稿読取装置４００に対して開閉可能であり、且つ、閉じた状態で原稿載置台４１０に載置された原稿Ｇを押さえる原稿送り装置３００である。詳しくは、原稿送り装置３００は、幅方向Ｘにおける他方側（具体的には背面側）において、副走査方向（左右方向Ｙ）に沿った軸線回りに（具体的にはヒンジ３０６，３０６（図５参照）によって軸支され）原稿読取装置４００に対して開閉可能となっており、その下面が原稿読取装置４００の原稿台ガラス４１１上に載置された原稿Ｇを上から押さえる原稿押さえ部材を兼ねている。これにより、画像読取装置２００は、原稿送り装置３００が開かれ、原稿読取装置４００の原稿台ガラス４１１が開放されることで、原稿台ガラス４１１上に原稿Ｇを載置することができる。原稿送り装置３００は、開閉部材として作用する。
【００５９】
ミラーユニット４３０は、第２ミラー４３１、第３ミラー４３２及び支持部材（図示せず）を備えている。ミラーユニット４３０における支持部材は、光源ユニット４２０における第１ミラー４２２からの光を反射して第３ミラー４３２に導くように第２ミラー４３１を支持している。また、ミラーユニット４３０における支持部材は、第２ミラー４３１からの光を反射して集光レンズ４４０に導くように第３ミラー４３２を支持している。集光レンズ４４０は、ミラーユニット４３０における第３ミラー４３２からの光を光電変換素子４５０の受光面４５１に集光するものである。光電変換素子４５０は、集光レンズ４４０からの光（原稿画像光）を電気信号に画像データとして電気信号に変換するものである。
【００６０】
また、原稿読取装置４００における光学系駆動部は、光源ユニット４２０を一定の速度で副走査方向（左右方向Ｙ）に移動させると共に、ミラーユニット４３０を光源ユニット４２０の移動速度の１／２の移動速度で同じく副走査方向（左右方向Ｙ）に移動させるように構成されている。
【００６１】
原稿送り装置３００は、原稿Ｇを搬送するために１枚又は複数枚の原稿Ｇを載置する原稿トレイ３０１（シート載置部の一例）（図３及び図４参照）と、原稿トレイ３０１の下方に配置される排出トレイ３０２（図３及び図４参照）と、原稿トレイ３０１及び排出トレイ３０２の間を接続するシート搬送路３０３及びシート排出搬送路３０４（図３参照）と、ピックアップローラ３２１（図３参照）を有するシート供給装置３２０（図３参照）と、シート供給装置３２０から送られてきた原稿Ｇを搬送するシート搬送装置３３０とを備えている。原稿トレイ３０１は、１枚又は複数枚の原稿Ｇを載置するシート載置部として作用する。シート搬送路３０３は、シート搬送ガイド部３１０により形成される。ピックアップローラ３２１は、昇降可能な構成とされ、且つ、上昇位置から下降して原稿トレイ３０１に載置された１枚又は複数枚の原稿Ｇを１枚ずつに送るためのものである。
【００６２】
（シート搬送ガイド部）
開閉部材は、原稿送り装置本体３００ａに対して開閉可能であり、且つ、ピックアップローラ３２１が設けられている。詳しくは、シート搬送ガイド部３１０は、原稿Ｇを搬送するにあたり、搬送される原稿Ｇを案内する。シート搬送ガイド部３１０は、開閉ガイド部材３１１と、搬送ガイド部材３１２とを備えている。開閉ガイド部材３１１は、原稿Ｇの詰まり（ＪＡＭ）等の際の原稿の除去作業や各構成部材の清掃等のメンテナンス作業などの作業の作業性を向上させる観点から、原稿送り装置本体３００ａに対して開閉可能となっている。開閉ガイド部材３１１は、開閉部材として作用し、ピックアップローラ３２１が設けられている。開閉ガイド部材３１１は、原稿送り装置本体３００ａに対して閉じた状態でシート搬送路３０３（具体的には原稿Ｇの搬送路）を構成する。
【００６３】
開閉ガイド部材３１１は、原稿Ｇの搬送方向Ｙ１に直交又は略直交する原稿Ｇの幅方向Ｘに沿った軸線回りに揺動自在とされている。
【００６４】
詳しくは、開閉ガイド部材３１１は、幅方向Ｘに沿った揺動軸３１１ａ（図３参照）に揺動自在に設けられている。この例では、揺動軸３１１ａは、原稿送り装置本体３００ａに固定されている。
【００６５】
搬送ガイド部材３１２は、原稿送り装置本体３００ａに設けられている。搬送ガイド部材３１２は、開閉ガイド部材３１１が閉じているときに、開閉ガイド部材３１１に覆われて開閉ガイド部材３１１との間に、原稿Ｇを通過させるシート搬送路３０３を形成する。
【００６６】
（シート供給装置）
シート供給装置３２０は、原稿トレイ３０１からの原稿Ｇを１枚ずつシート搬送路３０３へ供給する。
【００６７】
詳しくは、シート供給装置３２０は、ピックアップローラ３２１に加えて、シート供給ローラ３２２（図３参照）と、分離ローラや分離パッド等の分離部材（この例では分離ローラ３２３）とをさらに備えている。
【００６８】
ピックアップローラ３２１は、原稿トレイ３０１上に載置された原稿Ｇを原稿トレイ３０１から搬送方向Ｙ１に沿ってシート供給ローラ３２２及び分離ローラ３２３に向けて送り出す。シート供給ローラ３２２は、ピックアップローラ３２１より搬送方向Ｙ１の下流側に配設されており、ピックアップローラ３２１にて送られてきた原稿Ｇを分離ローラ３２３と共に挟持しつつさらに搬送方向Ｙ１の下流側へ搬送する。
【００６９】
分離ローラ３２３は、シート供給ローラ３２２に対峙された状態でシート供給ローラ３２２との間に搬送される原稿Ｇが１枚になるように原稿Ｇを分離する。
【００７０】
ピックアップローラ３２１及びシート供給ローラ３２２は、開閉ガイド部材３１１に設けられており、分離ローラ３２３は、搬送ガイド部材３１２に設けられている。従って、開閉ガイド部材３１１が閉じられて開閉ガイド部材３１１及び搬送ガイド部材３１２でシート搬送路３０３を形成したときに、ピックアップローラ３２１が原稿トレイ３０１の上方に位置し、シート供給ローラ３２２及び分離ローラ３２３が互いに圧接される。
【００７１】
図６に示すように、シート供給装置３２０は、駆動軸３２４と、トルクリミッター３２５と、旋回支持部材３２６と、第１ワンウェイ駆動伝達機構３２７と、第２ワンウェイ駆動伝達機構３２８とをさらに備えている。
【００７２】
駆動軸３２４は、駆動装置６００における駆動モータ６１０からの回転駆動力が駆動伝達機構（この例ではギヤ列６２０）を介して伝達される。
【００７３】
詳しくは、ギヤ列６２０は、駆動モータ６１０の回転軸６１１に固定された第１駆動伝達ギヤ６２１と、駆動軸３２４に固定された第２駆動伝達ギヤ６２２と、駆動装置６００の本体フレーム（図示せず）に支持された支持軸６２４に回転自在に支持された中間ギヤ６２３とからなっている。中間ギヤ６２３は、第１駆動伝達ギヤ６２１及び第２駆動伝達ギヤ６２２の双方に噛み合って第１駆動伝達ギヤ６２１からの回転駆動力を第２駆動伝達ギヤ６２２に伝達する。これにより、ギヤ列６２０は、駆動モータ６１０からの回転駆動力を第１駆動伝達ギヤ６２１、中間ギヤ６２３及び第２駆動伝達ギヤ６２２を介して駆動軸３２４に伝達することができる。
【００７４】
トルクリミッター３２５は、駆動軸３２４に連結される軸側回転部と、軸側回転部の外周部に設けられて予め定めた所定のトルクの負荷がかかるまでは軸側回転部と共に回転し、且つ、所定のトルクを超えた負荷がかかると軸側回転部が回転されても回転しない（軸側回転部に対して外側回転部が空回りする）外側回転部を有している。つまり、トルクリミッター３２５は、外側回転部に予め定めた所定のトルクの負荷がかかるまでは駆動軸３２４により回転される軸側回転部と共に外側回転部が回転する一方、外側回転部に所定のトルクを超えた負荷がかかると軸側回転部が回転されても外側回転部が回転しない（軸側回転部に対して外側回転部が空回りする）ようになっている。
【００７５】
トルクリミッター３２５は、軸側回転部が駆動軸３２４の外周部に固定され、且つ、外側回転部が旋回支持部材３２６の一端部３２６ａに連結されている。旋回支持部材３２６は、一端部３２６ａが駆動軸３２４に回転自在に支持され、且つ、他端部３２６ｂがピックアップローラ３２１を回転軸線回りに回転自在に支持している。
【００７６】
かかる構成を備えたシート供給装置３２０では、駆動軸３２４が回転駆動方向（原稿Ｇを搬送する方向）Ｓ１に回転するときには旋回支持部材３２６が下降方向Ｔ１に旋回し、ピックアップローラ３２１が上昇位置から下降し、原稿Ｇ（図３参照）を介して原稿トレイ３０１（図３及び図４参照）の上面３０１ａ（図３及び図４参照）に当接する。そうすると、ピックアップローラ３２１は、トルクリミッター３２５がスリップした状態で原稿トレイ３０１の上面３０１ａ上の原稿Ｇを押し付ける。従って、トルクリミッター３２５は、ピックアップローラ３２１の原稿Ｇへの押し付け力の役割を果たす。一方、駆動軸３２４が回転駆動方向Ｓ１とは反対方向Ｓ２に回転するときには旋回支持部材３２６が上昇方向Ｔ２に旋回し、ピックアップローラ３２１が上昇し、開閉ガイド部材３１１（図３及び図４参照）の底面３１１ｂ（図３及び図４参照）に当接する。そうすると、ピックアップローラ３２１は、トルクリミッター３２５がスリップした状態で上昇位置に保持される。従って、トルクリミッター３２５は、ピックアップローラ３２１の上昇位置での保持の役割も果たす。なお、駆動モータ６１０は、停止した状態ではディテントトルク（通電していないときの保持トルク）により、ピックアップローラ３２１を上昇位置で維持させることができる。
【００７７】
第１ワンウェイ駆動伝達機構３２７は、ワンウェイクラッチ付プーリー（具体的にはワンウェイプーリー３２７ａ）と、ピックアップローラ３２１に同軸に固定された固定プーリー３２７ｂと、ワンウェイプーリー３２７ａからの回転駆動力を固定プーリー３２７ｂに伝達する無端状の駆動伝達ベルト３２７ｃとを備えている。
【００７８】
ワンウェイプーリー３２７ａは、駆動軸３２４に連結される軸側回転部と、軸側回転部の外周部に設けられて軸側回転部に対して回転駆動方向Ｓ１に回転自在とされ、且つ、軸側回転部に対して回転駆動方向Ｓ１とは反対方向Ｓ２には回転しない外側回転部を有している。
【００７９】
ワンウェイプーリー３２７ａは、軸側回転部が駆動軸３２４の外周部に固定されている。駆動伝達ベルト３２７ｃは、ワンウェイプーリー３２７ａの外側回転部の外周部及び固定プーリー３２７ｂの外周部に巻き掛けられている。
【００８０】
ワンウェイプーリー３２７ａは、駆動軸３２４が回転駆動方向Ｓ１に回転するときには外側回転部が軸側回転部と共に回転し、駆動軸３２４からの回転駆動力を固定プーリー３２７ｂに駆動伝達ベルト３２７ｃを介して伝達する。これにより、ピックアップローラ３２１は、駆動モータ６１０からの回転駆動力により原稿Ｇを搬送することができる。
【００８１】
一方、ワンウェイプーリー３２７ａは、駆動軸３２４の回転が停止しているときには、固定プーリー３２７ｂの駆動伝達ベルト３２７ｃを介した回転駆動方向Ｓ１への回転を許容する。これにより、ピックアップローラ３２１は、駆動モータ６１０からの回転駆動力が伝達されないときに、駆動軸３２４に対して回転駆動方向Ｓ１に回転可能とされる。
【００８２】
第２ワンウェイ駆動伝達機構３２８は、ワンウェイクラッチ付連結部材（具体的にはワンウェイカップリング３２８ａ）を備えている。
【００８３】
ワンウェイカップリング３２８ａは、駆動軸３２４に連結される軸側回転部と、軸側回転部の外周部に設けられて軸側回転部に対して回転駆動方向Ｓ１に回転自在とされ、且つ、軸側回転部に対して回転駆動方向Ｓ１とは反対方向Ｓ２には回転しない外側回転部を有している。
【００８４】
ワンウェイカップリング３２８ａは、軸側回転部が駆動軸３２４の外周部に固定され、且つ、外側回転部がシート供給ローラ３２２に同軸に固定されている。シート供給ローラ３２２は、駆動軸３２４に回転自在に支持されている。
【００８５】
ワンウェイカップリング３２８ａは、駆動軸３２４が回転駆動方向Ｓ１に回転するときには外側回転部が軸側回転部と共に回転し、駆動軸３２４からの回転駆動力をシート供給ローラ３２２に伝達する。これにより、シート供給ローラ３２２は、駆動モータ６１０からの回転駆動力により原稿Ｇを搬送することができる。
【００８６】
一方、ワンウェイカップリング３２８ａは、駆動軸３２４の回転が停止しているときには、シート供給ローラ３２２の回転駆動方向Ｓ１への回転を許容する。これにより、シート供給ローラ３２２は、駆動モータ６１０からの回転駆動力が伝達されないときに、駆動軸３２４に対して回転駆動方向Ｓ１に回転可能とされる。
【００８７】
かかる構成を備えた原稿送り装置３００では、駆動モータ６１０を回転駆動方向（記録シートＰを搬送する方向）Ｓ１に回転駆動させると、トルクリミッター３２５を介して旋回支持部材３２６が下降方向Ｔ１に旋回し、ピックアップローラ３２１が上昇位置から下降すると共に軸線回りの回転駆動方向（記録シートＰを搬送する方向）Ｓ１に回転する。
【００８８】
次に、原稿送り装置３００では、図３に示すように、原稿Ｇをピックアップローラ３２１にてシート供給ローラ３２２と分離ローラ３２３との間に搬送し、ここで原稿Ｇを分離すると共にシート供給ローラ３２２が回転駆動されることによって１枚ずつ搬送する。そして、シート供給ローラ３２２からの原稿Ｇをシート搬送路３０３にて案内してシート搬送装置３３０に向けて搬送する。
【００８９】
原稿送り装置３００では、原稿Ｇの供給動作が終了すると、駆動モータ６１０を回転駆動方向Ｓ１とは反対方向Ｓ２に回転駆動させ、トルクリミッター３２５を介して旋回支持部材３２６が上昇方向Ｔ２に旋回し、ピックアップローラ３２１が上昇位置で保持される。
【００９０】
（シート搬送装置）
シート搬送装置３３０は、図３に示すように、シート供給装置３２０から供給されてきた原稿Ｇを排出トレイ３０２に向けて搬送する。
【００９１】
詳しくは、シート搬送装置３３０は、レジストローラ対３３１と、上流側搬送ローラ対３３２と、下流側搬送ローラ対３３３と、排出搬送部３３４とを備えている。
【００９２】
レジストローラ対３３１は、シート供給装置３２０からシート搬送路３０３を経て搬送されてきた原稿Ｇを一旦停止して予め定めた所定のタイミングで原稿Ｇの搬送を再開するとされている。
【００９３】
レジストローラ対３３１のうち、一方のレジストローラ３３１ａは、開閉ガイド部材３１１に設けられる一方、他方のレジストローラ３３１ｂは、原稿送り装置本体３００ａの搬送ガイド部材３１２に設けられている。従って、開閉ガイド部材３１１が閉じられて開閉ガイド部材３１１及び搬送ガイド部材３１２でシート搬送路３０３を形成したときに、一方のレジストローラ３３１ａ及び他方のレジストローラ３３１ｂが互いに圧接されてレジストローラ対３３１が構成される。
【００９４】
上流側搬送ローラ対３３２は、原稿Ｇの搬送方向Ｙ１においてレジストローラ対３３１よりも下流側且つ原稿読取ガラス４１２よりも上流側に設けられており、原稿Ｇを原稿読取ガラス４１２よりも上流側で搬送する。下流側搬送ローラ対３３３は、搬送方向Ｙ１において排出搬送部３３４よりも上流側且つ原稿読取ガラス４１２よりも下流側に設けられており、原稿Ｇを原稿読取ガラス４１２よりも下流側で搬送する。すなわち、上流側搬送ローラ対３３２、原稿読取ガラス４１２及び下流側搬送ローラ対３３３は、シート搬送路３０３においてこの順に配設されている。また、原稿読取ガラス４１２は、シート搬送路３０３のガイド壁の一部を構成するように略水平に設けられている。
【００９５】
この例では、原稿送り装置３００は、原稿Ｇの一方の面（表面）を読み取り可能に搬送した後、原稿Ｇを表裏が逆転するように反転させて原稿Ｇの他方の面（裏面）を読み取り可能に搬送するように構成されている。
【００９６】
詳しくは、シート搬送ガイド部３１０は、原稿Ｇの表裏を反転させる構成とされている。
【００９７】
シート搬送路３０３は、シート供給装置３２０から送られてきた原稿Ｇを通過させながら原稿Ｇの表裏を反転させるようになっている。シート搬送路３０３は、原稿Ｇをシート供給ローラ３２２からレジストローラ対３３１、上流側搬送ローラ対３３２、原稿読取ガラス４１２及び下流側搬送ローラ対３３３を経て排出搬送部３３４へ導くようにループ状に形成されている。
【００９８】
シート搬送ガイド部３１０は、原稿送り装置本体３００ａに設けられた上流側ガイド３１３、下流側ガイド３１４及び原稿読取ガイド３１５をさらに備えている。原稿読取ガイド３１５は、上流側ガイド３１３、下流側ガイド３１４及び原稿読取ガラス４１２との間で搬送される原稿Ｇを案内する。上流側ガイド３１３及び下流側ガイド３１４は、それぞれ、上流側搬送ローラ対３３２及び下流側搬送ローラ対３３３にて搬送される原稿Ｇを原稿読取ガイド３１５と共に案内する。
【００９９】
詳しくは、上流側ガイド３１３は、搬送方向Ｙ１において原稿読取ガラス４１２の上流側に配設されている。下流側ガイド３１４は、搬送方向Ｙ１において原稿読取ガラス４１２の下流側に配設されている。原稿読取ガイド３１５は、上流側ガイド３１３、下流側ガイド３１４及び原稿読取ガラス４１２に対して所定の間隔をおいて対向するよう設けられている。そして、シート搬送路３０３は、上流側ガイド３１３、原稿読取ガラス４１２及び下流側ガイド３１４と、原稿読取ガイド３１５との間に形成されている。
【０１００】
排出搬送部３３４は、シート搬送路３０３からの原稿Ｇを外部に排出するようになっている。
【０１０１】
本実施の形態では、画像読取装置２００は、原稿Ｇの両面を読み取る構成とされている。
【０１０２】
排出搬送部３３４は、さらに、シート搬送路３０３からの原稿Ｇを排出する途中で後退させるようになっている。
【０１０３】
詳しくは、排出搬送部３３４は、排出ローラ対３３４ａと、排出ローラ対３３４ａを回転駆動する排出ローラ駆動部（図示せず）とを備えている。
【０１０４】
排出ローラ対３３４ａは、搬送方向Ｙ１において下流側搬送ローラ対３３３よりも下流側、具体的には、下流側搬送ローラ対３３３と排出トレイ３０２との間に設けられている。排出ローラ対３３４ａは、下流側搬送ローラ対３３３から搬送されてきた原稿Ｇを排出トレイ３０２へ搬送することに加えて、下流側搬送ローラ対３３３から搬送されてきた原稿Ｇを後端（搬送方向Ｙ１における上流側端）が前になるように搬送方向Ｙ１とは反対の逆搬送方向Ｙ２に搬送する。
【０１０５】
排出ローラ駆動部は、排出ローラ対３３４ａを順方向に回転駆動して原稿Ｇを搬送方向Ｙ１に搬送する一方、排出ローラ対３３４ａを逆方向に回転駆動して原稿Ｇを逆搬送方向Ｙ２に搬送（スイッチバック）するようになっている。
【０１０６】
シート排出搬送路３０４は、シート搬送路３０３と排出ローラ対３３４ａとの間に設けられている。
【０１０７】
原稿送り装置３００は、搬送ガイド部材３１２を構成する二つの第１及び第２搬送ガイド部材３１２ａ，３１２ｂの間に形成されて排出搬送部３３４で後退させられた原稿Ｇを通過させるスイッチバック搬送路３０５をさらに備えている。
【０１０８】
この例では、シート搬送装置３３０は、分岐部材３３５をさらに備えている。分岐部材３３５は、シート搬送路３０３の出口側とスイッチバック搬送路３０５の入口側との間に設けられている。
【０１０９】
シート排出搬送路３０４は、排出ローラ対３３４ａの順方向の回転により搬送される原稿Ｇの順搬送路に加えて、排出ローラ対３３４ａの逆方向の回転により搬送される原稿Ｇの逆搬送路でもある。
【０１１０】
スイッチバック搬送路３０５は、排出ローラ対３３４ａにて後端が前になるように搬送され、且つ、分岐部材３３５で分岐された原稿Ｇをシート搬送路３０３のレジストローラ対３３１よりも搬送方向Ｙ１の上流側へ導くようになっている。これにより、画像読取装置２００は、原稿Ｇの両面を読み取ることができる。
【０１１１】
分岐部材３３５は、原稿Ｇの搬送方向Ｙ１に直交又は略直交する原稿Ｇの幅方向Ｘに沿った回動軸線回りに回動自在とされている。
【０１１２】
詳しくは、分岐部材３３５は、幅方向Ｘに沿った回転軸３３０ａに回動自在に設けられている。具体的には、分岐部材３３５は、正面視で略三角形状を有している。分岐部材３３５は、回転軸３３０ａに対して着脱自在に且つ回転軸３３０ａ回りに回動自在に設けることができる。
【０１１３】
なお、図４及び図５において、説明していない符号の部材については、後ほど説明する。
【０１１４】
（開閉部材の開閉検知）
画像形成装置１００は、画像形成装置１００の動作状態を検知する検知部を備えている。詳しくは、検知部は、開閉部材（この例では開閉ガイド部材３１１、原稿送り装置３００、給紙トレイ３１、開閉カバー部材１１３及び開閉ガイド部材１１４）の開閉状態を検知する構成とされており、この例では、後述する第１開閉検知スイッチ３４０、第２開閉検知スイッチ３６０、第３開閉検知スイッチ１４０、第４開閉検知スイッチ１６０及び第５開閉検知スイッチ１８０とされている。
【０１１５】
−第１開閉検知スイッチ−
図７は、第１開閉検知スイッチ３４０及び第１作動部３５０の作動状態を説明するための説明図である。図７は、開閉ガイド部材３１１が原稿送り装置本体３００ａに対して開放された状態において第１開閉検知スイッチ３４０及び第１作動部３５０を側面側から視た斜視図を示している。
【０１１６】
原稿送り装置３００は、開閉ガイド部材３１１の原稿送り装置本体３００ａに対する開閉を検知する第１開閉検知スイッチ３４０（検知部の一例）と、第１開閉検知スイッチ３４０を作動させる第１作動部３５０（図４も参照）とをさらに備えている。
【０１１７】
開閉ガイド部材３１１及び原稿送り装置本体３００ａのうち、何れか一方の部材（この例では開閉ガイド部材３１１）には第１開閉検知スイッチ３４０が設けられ、且つ、何れか他方の部材（この例では原稿送り装置本体３００ａ）には第１作動部３５０が設けられている。この例では、第１作動部３５０は、原稿送り装置本体３００ａにおける搬送ガイド部材３１２（図４参照）に設けられている。具体的には、搬送ガイド部材３１２及び第１作動部３５０は、一体的に形成されている。
【０１１８】
第１開閉検知スイッチ３４０及び第１作動部３５０は、開閉ガイド部材３１１が閉じた状態で第１開閉検知スイッチ３４０が第１作動部３５０によりオンするように（すなわち開閉ガイド部材３１１が閉じ状態であることを検知するように）設けられている。また、第１開閉検知スイッチ３４０及び第１作動部３５０は、開閉ガイド部材３１１が開放した状態で第１開閉検知スイッチ３４０及び第１作動部３５０の何れか一方（この例では第１開閉検知スイッチ３４０）が離間して第１開閉検知スイッチ３４０がオフするように（すなわち開閉ガイド部材３１１が開放状態であることを検知するように）設けられている。この例では、第１開閉検知スイッチ３４０及び第１作動部３５０は、原稿送り装置３００の幅方向Ｘにおける他方側（具体的には背面側）に設けられている。
【０１１９】
第１開閉検知スイッチ３４０は、幅方向Ｘに沿った軸線回りに揺動するアクチュエータ部３４１と、アクチュエータ部３４１に外力が加わっていないときには作動解除状態（オフ状態）を維持し、且つ、アクチュエータ部３４１に外力が加わるとアクチュエータ部３４１の揺動によって作動状態（オン状態）となるスイッチ部３４２とを備えたスイッチ（具体的にはマイクロスイッチ）とされている。なお、第１開閉検知スイッチ３４０は、光透過型フォトセンサーを含むものであってもよい。
【０１２０】
−第２開閉検知スイッチ−
図８は、第２開閉検知スイッチ３６０及び第２作動部３７０の作動状態を説明するための説明図である。図８は、原稿送り装置３００が原稿読取装置４００に対して開放された状態において第２開閉検知スイッチ３６０及び第２作動部３７０を正面側から視た斜視図を示している。
【０１２１】
原稿送り装置３００は、原稿送り装置３００の原稿読取装置４００に対する開閉を検知する第２開閉検知スイッチ３６０（検知部の他の例）（図５も参照）と、第２開閉検知スイッチ３６０を作動させる第２作動部３７０（図５も参照）とをさらに備えている。
【０１２２】
原稿送り装置３００及び原稿読取装置４００のうち、何れか一方の装置（この例では原稿送り装置３００）には第２開閉検知スイッチ３６０が設けられ、且つ、何れか他方の装置（この例では原稿読取装置４００）には第２作動部３７０が設けられている。この例では、第２作動部３７０は、原稿読取装置４００における上面カバー４００ｂに設けられている。具体的には、上面カバー４００ｂ及び第２作動部３７０は、一体的に形成されている。
【０１２３】
第２開閉検知スイッチ３６０及び第２作動部３７０は、原稿送り装置３００が閉じた状態で第２開閉検知スイッチ３６０が第２作動部３７０によりオンするように（すなわち原稿送り装置３００が閉じ状態であることを検知するように）設けられている。また、第２開閉検知スイッチ３６０及び第２作動部３７０は、原稿送り装置３００が開放した状態で第２開閉検知スイッチ３６０及び第２作動部３７０の何れか一方（この例では第２開閉検知スイッチ３６０）が離間して第２開閉検知スイッチ３６０がオフするように（すなわち原稿送り装置３００が開放状態であることを検知するように）設けられている。この例では、第２開閉検知スイッチ３６０及び第２作動部３７０は、画像読取装置２００の幅方向Ｘにおける一方側（具体的には正面側）且つ左右方向Ｙにおける他方側（具体的には左側）に設けられている。
【０１２４】
第２開閉検知スイッチ３６０は、光を出射する発光部３６１ａ及び発光部３６１ａからの光を受光する受光部３６１ｂを有する光透過型フォトセンサー３６１と、発光部３６１ａから受光部３６１ｂへの光を遮蔽する光遮蔽状態と、発光部３６１ａから受光部３６１ｂへ光を通過させる光通過状態とをとるアクチュエータ部３６２とを備えている。
【０１２５】
アクチュエータ部３６２は、原稿送り装置３００が閉じた状態で第２作動部３７０と当接して光遮蔽状態となり、原稿送り装置３００が開放した状態で第２作動部３７０との当接が解除されて光通過状態となる。
【０１２６】
詳しくは、アクチュエータ部３６２は、原稿送り装置本体３００ａの底板３００ｂに対して直交又は略直交する往復移動方向Ｗに往復移動する往復移動部材３６２ａを備えている。
【０１２７】
往復移動部材３６２ａの往復移動方向Ｗにおける一方側の近傍には、光透過型フォトセンサー３６１が設けられている。
【０１２８】
往復移動部材３６２ａは、本体部３６２ａ１と、当接部３６２ａ２と、遮光部３６２ａ３とを有している。本体部３６２ａ１は、往復移動方向Ｗに延びた棒状の部材とされている。当接部３６２ａ２は、本体部３６２ａ１の往復移動方向Ｗにおける光透過型フォトセンサー３６１側とは反対側の端部に設けられている。遮光部３６２ａ３は、本体部３６２ａ１の往復移動方向Ｗにおける光透過型フォトセンサー３６１側の端部に設けられている。
【０１２９】
当接部３６２ａ２は、原稿送り装置３００が閉じたときに第２作動部３７０に当接して往復移動方向Ｗにおける光透過型フォトセンサー３６１側の第１移動方向Ｗ１に移動する。一方、当接部３６２ａ２は、原稿送り装置３００が開放したときに第２作動部３７０との当接が解除されて第１移動方向Ｗ１とは反対側の第２移動方向Ｗ２に移動する。
【０１３０】
遮光部３６２ａ３は、原稿送り装置３００が閉じたときに当接部３６２ａ２の第１移動方向Ｗ１への移動により光遮蔽状態になる。一方、遮光部３６２ａ３は、原稿送り装置３００が開放したときに当接部３６２ａ２の第２移動方向Ｗ２への移動により光通過状態になる。
【０１３１】
具体的には、アクチュエータ部３６２は、支持板３６２ｂと、付勢部材３６２ｃとをさらに備えている。
【０１３２】
支持板３６２ｂは、原稿送り装置本体３００ａの底板３００ｂの上方に予め定めた所定の間隔をおいて底板３００ｂと平行又は略平行になるように原稿送り装置本体３００ａに固定されている。支持板３６２ｂは、上面に光透過型フォトセンサー３６１を支持しており、発光部３６１ａと受光部３６１ｂとの間に対応する部分には、往復移動部材３６２ａにおける遮光部３６２ａ３を貫通させる貫通孔３６２ｂ１が設けられている。なお、貫通孔３６２ｂ１のサイズは、遮光部３６２ａ３を円滑に挿通できる程度に遮光部３６２ａ３のサイズよりも若干（所定距離だけ）大きくなっている。
【０１３３】
また、原稿送り装置本体３００ａの底板３００ｂの貫通孔３６２ｂ１に対応する部分には、往復移動部材３６２ａにおける当接部３６２ａ２を貫通させる貫通孔３００ｂ１が設けられている。なお、貫通孔３００ｂ１のサイズは、当接部３６２ａ２を円滑に挿通できる程度に当接部３６２ａ２のサイズよりも若干（所定距離だけ）大きくなっている。
【０１３４】
これにより、往復移動部材３６２ａは、往復移動方向Ｗに沿って往復移動自在な構成とすることができる。
【０１３５】
往復移動部材３６２ａは、本体部３６２ａ１の往復移動方向Ｗにおける予め定めた所定の移動量を超える移動を規制する規制部３６２ａ４をさらに有している。規制部３６２ａ４は、本体部３６２ａ１の往復移動方向Ｗにおける中央部に設けられている。本体部３６２ａ１における規制部３６２ａ４は、当接部３６２ａ２及び遮光部３６２ａ３が貫通孔３００ｂ１及び貫通孔３６２ｂ１にそれぞれ貫通した状態において、支持板３６２ｂと原稿送り装置本体３００ａの底板３００ｂとの間に設けられている。規制部３６２ａ４は、貫通孔３００ｂ１及び貫通孔３６２ｂ１によりも大きいサイズとされており、この例では、支持板３６２ｂ及び底板３００ｂに平行又は略平行な円板状に形成されている。これにより、本体部３６２ａ１の往復移動方向Ｗにおける所定の移動量を超える移動を規制することができる。
【０１３６】
往復移動部材３６２ａは、付勢部材３６２ｃにより第２移動方向Ｗ２に付勢されている。この例では、付勢部材３６２ｃは、直巻スプリングとされており、支持板３６２ｂと規制部３６２ａ４との間において、本体部３６２ａ１に挿通されている。これにより、往復移動部材３６２ａを第２移動方向Ｗ２に付勢することができる。
【０１３７】
なお、アクチュエータ部３６２は、原稿送り装置３００が閉じた状態で第２作動部３７０と当接して光通過状態となり、原稿送り装置３００が開放した状態で第２作動部３７０との当接が解除されて光遮蔽状態となってもよい。
【０１３８】
また、第２開閉検知スイッチ３６０において、光透過型フォトセンサー３６１に代えてマイクロスイッチを設けてもよい。
【０１３９】
−第３開閉検知スイッチ−
図９は、第３開閉検知スイッチ１４０及び第３作動部１５０の作動状態を説明するための説明図である。図９（ａ）は、給紙トレイ３１が画像形成装置本体１１０に対して開放されている状態を示す斜視図を示している。図９（ｂ）は、給紙トレイ３１の開閉状態を第３開閉検知スイッチ１４０で検知している状態を示す概略側面図を示している。
【０１４０】
給紙トレイ３１は、画像形成装置本体１１０に対して予め定めた所定の直線方向（この例では幅方向Ｘ）に往復移動自在に設けられている。
【０１４１】
画像形成装置本体１１０には、給紙トレイ３１の画像形成装置本体１１０に対する開閉を検知する第３開閉検知スイッチ１４０（検知部のさらに他の例）（図９（ｂ）参照）と、第３開閉検知スイッチ１４０を作動させる第３作動部１５０（図９（ｂ）参照）とが設けられている。
【０１４２】
給紙トレイ３１及び画像形成装置本体１１０のうち、何れか一方の部材（この例では画像形成装置本体１１０）には第３開閉検知スイッチ１４０が設けられ、且つ、何れか他方の部材（この例では給紙トレイ３１）には第３作動部１５０が設けられている。この例では、第３作動部１５０は、給紙トレイ３１における背面３１ａ（図９（ｂ）参照）に設けられている。具体的には、背面３１ａ及び第３作動部１５０は、一体的に形成されている。
【０１４３】
第３開閉検知スイッチ１４０及び第３作動部１５０は、給紙トレイ３１が閉じた状態で第３開閉検知スイッチ１４０が第３作動部１５０によりオンするように（すなわち給紙トレイ３１が閉じ状態であることを検知するように）設けられている。また、第３開閉検知スイッチ１４０及び第３作動部１５０は、給紙トレイ３１が開放した状態で第３開閉検知スイッチ１４０及び第３作動部１５０の何れか一方（この例では第３作動部１５０）が離間して第３開閉検知スイッチ１４０がオフするように（すなわち給紙トレイ３１が開放状態であることを検知するように）設けられている。この例では、第３開閉検知スイッチ１４０及び第３作動部１５０は、画像形成装置本体１１０の幅方向Ｘにおける他方側（具体的には背面側）に設けられている。
【０１４４】
第３開閉検知スイッチ１４０は、この例では、マイクロスイッチとされている。なお、第３開閉検知スイッチ１４０は、光透過型フォトセンサーを含むものであってもよい。
【０１４５】
−第４開閉検知スイッチ−
図１０は、第４開閉検知スイッチ１６０及び第４作動部１７０の作動状態を説明するための説明図である。図１０は、開閉カバー部材１１３が画像形成装置本体１１０に対して開放されている状態を示す斜視図を示している。
【０１４６】
開閉カバー部材１１３は、画像形成装置本体１１０に対して予め定めた所定方向（この例では左右方向Ｙ）に沿った回動軸線回りに回動自在に設けられている。
【０１４７】
画像形成装置本体１１０には、開閉カバー部材１１３の画像形成装置本体１１０に対する開閉を検知する第４開閉検知スイッチ１６０（検知部のさらに他の例）と、第４開閉検知スイッチ１６０を作動させる第４作動部１７０とが設けられている。
【０１４８】
開閉カバー部材１１３及び画像形成装置本体１１０のうち、何れか一方の部材（この例では画像形成装置本体１１０）には第４開閉検知スイッチ１６０が設けられ、且つ、何れか他方の部材（この例では開閉カバー部材１１３）には第４作動部１７０が設けられている。この例では、第４作動部１７０は、開閉カバー部材１１３における内側面１１３ａに設けられている。具体的には、内側面１１３ａ及び第４作動部１７０は、一体的に形成されている。
【０１４９】
第４開閉検知スイッチ１６０及び第４作動部１７０は、開閉カバー部材１１３が閉じた状態で第４開閉検知スイッチ１６０が第４作動部１７０によりオンするように（すなわち開閉カバー部材１１３が閉じ状態であることを検知するように）設けられている。また、第４開閉検知スイッチ１６０及び第４作動部１７０は、開閉カバー部材１１３が開放した状態で第４開閉検知スイッチ１６０及び第４作動部１７０の何れか一方（この例では第４作動部１７０）が離間して第４開閉検知スイッチ１６０がオフするように（すなわち開閉カバー部材１１３が開放状態であることを検知するように）設けられている。この例では、第４開閉検知スイッチ１６０及び第４作動部１７０は、画像形成装置本体１１０の幅方向Ｘにおける一方側（具体的には正面側）且つ左右方向Ｙにおける一方側（具体的には右側）に設けられている。
【０１５０】
第４開閉検知スイッチ１６０は、この例では、マイクロスイッチとされている。なお、第４開閉検知スイッチ１６０は、光透過型フォトセンサーを含むものであってもよい。
【０１５１】
−第５開閉検知スイッチ−
図１１は、第５開閉検知スイッチ１８０及び第５作動部１９０の作動状態を説明するための説明図である。図１１は、開閉ガイド部材１１４が画像形成装置本体１１０に対して開放されている状態を示す斜視図を示している。
【０１５２】
開閉ガイド部材１１４は、画像形成装置本体１１０に対して予め定めた所定の直線方向（この例では左右方向Ｙ）に往復移動自在に設けられている。
【０１５３】
画像形成装置本体１１０には、開閉ガイド部材１１４の画像形成装置本体１１０に対する開閉を検知する第５開閉検知スイッチ１８０（検知部のさらに他の例）と、第５開閉検知スイッチ１８０を作動させる第５作動部１９０とが設けられている。
【０１５４】
開閉ガイド部材１１４及び画像形成装置本体１１０のうち、何れか一方の部材（この例では画像形成装置本体１１０）には第５開閉検知スイッチ１８０が設けられ、且つ、何れか他方の部材（この例では開閉ガイド部材１１４）には第５作動部１９０が設けられている。この例では、第５作動部１９０は、開閉ガイド部材１１４における内側部材１１４ａに設けられている。具体的には、内側部材１１４ａ及び第５作動部１９０は、一体的に形成されている。
【０１５５】
第５開閉検知スイッチ１８０及び第５作動部１９０は、開閉ガイド部材１１４が閉じた状態で第５開閉検知スイッチ１８０が第５作動部１９０によりオンするように（すなわち開閉ガイド部材１１４が閉じ状態であることを検知するように）設けられている。また、第５開閉検知スイッチ１８０及び第５作動部１９０は、開閉ガイド部材１１４が開放した状態で第５開閉検知スイッチ１８０及び第５作動部１９０の何れか一方（この例では第５作動部１９０）が離間して第５開閉検知スイッチ１８０がオフするように（すなわち開閉ガイド部材１１４が開放状態であることを検知するように）設けられている。この例では、第５開閉検知スイッチ１８０及び第５作動部１９０は、画像形成装置本体１１０の幅方向Ｘにおける一方側（具体的には正面側）に設けられている。
【０１５６】
第５開閉検知スイッチ１８０は、この例では、マイクロスイッチとされている。なお、第５開閉検知スイッチ１８０は、光透過型フォトセンサーを含むものであってもよい。
【０１５７】
（制御部）
図１２は、画像形成装置１００における開閉部材の開閉検知構成を示すシステムブロック図である。
【０１５８】
画像形成装置１００は、画像形成装置１００全体の制御を司る制御部１２０をさらに備えている。なお、制御部１２０は画像読取装置２００に備えられていてもよい。
【０１５９】
原稿送り装置３００における第１開閉検知スイッチ３４０及び第２開閉検知スイッチ３６０は、制御部１２０に電気的に接続されており、開閉ガイド部材３１１及び原稿送り装置３００の開閉検知信号を制御部１２０に送信するようになっている。これにより、制御部１２０は、それぞれ、第１開閉検知スイッチ３４０及び第２開閉検知スイッチ３６０からの開閉ガイド部材３１１及び原稿送り装置３００が閉じていることを示す閉じ信号により開閉ガイド部材３１１及び原稿送り装置３００が閉じていることを検出（認識）することができる。また、制御部１２０は、それぞれ、第１開閉検知スイッチ３４０及び第２開閉検知スイッチ３６０からの開閉ガイド部材３１１及び原稿送り装置３００が開放していることを示す開放信号により開閉ガイド部材３１１及び原稿送り装置３００が開放していることを検出（認識）することができる。
【０１６０】
画像形成装置本体１１０における第３開閉検知スイッチ１４０、第４開閉検知スイッチ１６０及び第５開閉検知スイッチ１８０は、制御部１２０に電気的に接続されており、給紙トレイ３１〜３１、開閉カバー部材１１３及び開閉ガイド部材１１４の開閉検知信号を制御部１２０に送信するようになっている。これにより、制御部１２０は、それぞれ、第３開閉検知スイッチ１４０、第４開閉検知スイッチ１６０及び第５開閉検知スイッチ１８０からの給紙トレイ３１〜３１、開閉カバー部材１１３及び開閉ガイド部材１１４が閉じていることを示す閉じ信号により給紙トレイ３１〜３１、開閉カバー部材１１３及び開閉ガイド部材１１４が閉じていることを検出（認識）することができる。また、制御部１２０は、それぞれ、第３開閉検知スイッチ１４０、第４開閉検知スイッチ１６０及び第５開閉検知スイッチ１８０からの給紙トレイ３１〜３１、開閉カバー部材１１３及び開閉ガイド部材１１４が開放していることを示す開放信号により給紙トレイ３１〜３１、開閉カバー部材１１３及び開閉ガイド部材１１４が開放していることを検出（認識）することができる。
【０１６１】
画像形成装置本体１１０には、人の存在を検知する人感センサー４０（図１及び図１０参照）が設けられている。
【０１６２】
人感センサー４０は、この例では、超音波を用いた超音波型の人感センサーとされている。超音波型の人感センサー４０は、超音波送波部４１（図１参照）及び超音波受波部４２（図１参照）を有し、超音波送波部４１により所定の検知範囲に超音波を検知対象物に向け発信し、該検知対象物からの反射波を超音波受波部４２で受信して得られた検知結果により、対象物の有無を検出するものである。人感センサー４０は、この例では、超音波を用いた超音波型の人感センサーであるが、赤外線を用いた赤外線型の人感センサー、可視光を用いた光学型の人感センサー、或いは、超音波、赤外線及び可視光のうち少なくとも２つを組み合わせた人感センサーであってもよい。
【０１６３】
また、画像読取装置２００における原稿送り装置３００及び原稿読取装置４００は、制御部１２０に電気的に接続されており、制御部１２０の指示の下、画像読取動作（画像読取処理）を行うようになっている。
【０１６４】
また、画像形成装置本体１１０は、制御部１２０に電気的に接続されており、制御部１２０の指示の下、画像形成動作（画像形成処理）を行うようになっている。
【０１６５】
そして、制御部１２０は、画像形成装置１００を予め定めた所定の通常消費電力状態から通常消費電力状態よりも供給エネルギーを小さくした低消費電力状態にする省電力モードを有している。
【０１６６】
制御部１２０は、この例では、予め定めた所定の条件が整った場合（例えば、画像形成装置１００の待機状態が予め定めた所定の時間継続した場合及び／又は人感センサー４０（図１及び図１０参照）の検知結果により人が居ないことを検出した場合）に省電力モードに入る構成とされている。待機状態は、この例では、画像形成動作待機状態とされている。ここで、画像形成動作待機状態とは、すぐに画像形成動作を行うことができる状態、具体的には、画像形成装置本体１１０における定着装置２０に定着温度が画像形成動作時の規定温度（例えば１７０℃）となる規定電力が供給されて定着温度が規定温度（例えば１７０℃）に維持され、且つ、制御部１２０が起動している状態をいう。また、省電力モードの低消費電力状態は、この例では、画像形成装置本体１１０における定着装置２０に定着温度が画像形成動作時の規定温度（例えば１７０℃）よりも低い予め定めた所定の節電温度（例えば１５０℃）となる節電電力が供給され、且つ、制御部１２０が起動している状態とされている。従って、この例では、通常消費電力状態は待機状態を意味し、低消費電力状態は省電力モードの状態を意味する。なお、省電力モードの低消費電力状態は、制御部１２０及び検知部（この例では第１開閉検知スイッチ３４０、第２開閉検知スイッチ３６０、第３開閉検知スイッチ１４０、第４開閉検知スイッチ１６０、第５開閉検知スイッチ１８０及び人感センサー４０）にのみ電力を供給する状態（スタンバイ状態）を含んでいる。
【０１６７】
また、制御部１２０は、省電力モードにおいて、予め定めた所定の省電力モード解除条件が整った場合（例えば、ユーザーが予め定めた所定の操作を行った場合及び／又は人感センサー４０の検知結果により人が居ることを検出した場合）に省電力モードの低消費電力状態から通常消費電力状態に復帰させる構成とされている。
【０１６８】
具体的には、画像形成装置１００は、図１２に示すように、メイン電源１３１と、サブ電源１３２（省エネルギー用電源）とを備えている。
【０１６９】
メイン電源１３１は、細線で示す制御系ラインが制御部１２０に電気的に接続され、且つ、太線で示す電力系ラインが画像形成装置本体１１０及び画像読取装置２００に電気的に接続されている。
【０１７０】
サブ電源１３２は、太線で示す電力系ラインが制御部１２０、第１開閉検知スイッチ３４０、第２開閉検知スイッチ３６０、第３開閉検知スイッチ１４０、第４開閉検知スイッチ１６０、第５開閉検知スイッチ１８０及び人感センサー４０に電気的に接続されており、これらに常時電力を供給するようになっている。
【０１７１】
人感センサー４０は、細線で示す制御系ラインが制御部１２０の入力系に電気的に接続されており、人が居ることを示す信号又は居ないことを示す信号を制御部１２０に送信するようになっている。これにより、制御部１２０は、人感センサー４０からの検知信号により人が居るのか或いは居ないのかを検出（認識）することができる。
【０１７２】
制御部１２０は、画像形成装置１００を待機状態（具体的には画像形成動作待機状態）にするときには、画像形成装置１００を待機状態（具体的には画像形成動作待機状態）にすることを示す指示信号を、画像形成装置１００を省電力モードにするときには、画像形成装置１００を省電力モードにすることを示す指示信号をメイン電源１３１に送信するようになっている。
【０１７３】
なお、画像形成装置１００は、省電力モードの低消費電力状態として、サブ電源１３２を用いて制御部１２０及び検知部（この例では第１開閉検知スイッチ３４０、第２開閉検知スイッチ３６０、第３開閉検知スイッチ１４０、第４開閉検知スイッチ１６０、第５開閉検知スイッチ１８０及び人感センサー４０）にのみ電力を供給することができる。
【０１７４】
図１２に示すように、制御部１２０は、ＣＰＵ（Ｃｅｎｔｒａｌ  Ｐｒｏｃｅｓｓｉｎｇ  Ｕｎｉｔ）等のマイクロコンピュータからなる処理部１２１と、ＲＯＭ（Ｒｅａｄ  Ｏｎｌｙ  Ｍｅｍｏｒｙ）等の不揮発性メモリ、ＲＡＭ（Ｒａｎｄｏｍ  Ａｃｃｅｓｓ  Ｍｅｍｏｒｙ）等の揮発性メモリを含む記憶部１２２とを有している。制御部１２０は、処理部１２１が記憶部１２２のＲＯＭに予め格納された制御プログラムを記憶部１２２のＲＡＭ上にロードして実行することにより、各種構成要素の作動制御を行うようになっている。記憶部１２２のＲＡＭは、処理部１２１に対して作業用のワークエリア及び画像データを格納する画像メモリとしての領域を提供する。
【０１７５】
以上説明した画像形成装置１００では、所定の省電力モード条件が整った場合（例えば、画像形成装置１００の待機状態が所定の時間継続した場合及び／又は人感センサー４０の検知結果により人が居ないことを検出した場合）に省電力モードに入る。また、画像形成装置１００では、省電力モードにおいて、所定の省電力モード解除条件が整った場合（例えば、ユーザーが予め定めた所定の操作を行った場合及び／又は人感センサー４０の検知結果により人が居ることを検出した場合）に省電力モードの低消費電力状態から通常消費電力状態（待機状態）に復帰する。
【０１７６】
画像形成装置１００では、通常消費電力状態（待機状態）において、画像読取動作（画像読取処理）及び／又は画像形成動作（画像形成処理）が行われる。
【０１７７】
ところで、本実施の形態では、図６に示す駆動モータ６１０、第１駆動伝達ギヤ６２１及び中間ギヤ６２３は、原稿送り装置本体３００ａに設けられ、図６に示す第２駆動伝達ギヤ６２２、駆動軸３２４、トルクリミッター３２５、旋回支持部材３２６、第１ワンウェイ駆動伝達機構３２７、第２ワンウェイ駆動伝達機構３２８、ピックアップローラ３２１及びシート供給ローラ３２２は、開閉ガイド部材３１１に設けられている。従って、開閉ガイド部材３１１がユーザーによって開放されると、第２駆動伝達ギヤ６２２が中間ギヤ６２３から離間し（図７も参照）、これにより、ピックアップローラ３２１が上昇位置から降下する。また、開閉ガイド部材３１１、原稿送り装置３００、給紙トレイ３１、開閉カバー部材１１３及び開閉ガイド部材１１４の開閉操作による振動等によりピックアップローラ３２１が降下することがある。
【０１７８】
画像形成装置１００においては、ピックアップローラ３２１が、シート（具体的には原稿Ｇ）をシート載置部（具体的には原稿トレイ３０１）にセットする前から意図せずに（何らかの要因で）降下してしまっていると、シート載置部にシートを載置できない或いはシート載置部にシートを載置しづらい。
【０１７９】
かかる不都合を解消するために、画像形成装置１００は、例えば、画像形成装置１００を起動したとき（電源をオンした状態で再起動する場合も含む。）、或いは、ジョブ（１回の画像形成動作）が終了したときに、予め定めた所定の構成部材へのイニシャル動作（この例ではピックアップローラ３２１を上昇位置に上昇させておくイニシャル動作）の制御を行う他、通常消費電力状態において検知部（例えば、第１開閉検知スイッチ３４０、第２開閉検知スイッチ３６０、第３開閉検知スイッチ１４０、第４開閉検知スイッチ１６０及び第５開閉検知スイッチ１８０）の検知結果により開閉部材（例えば、開閉ガイド部材３１１、原稿送り装置３００、給紙トレイ３１、開閉カバー部材１１３及び開閉ガイド部材１１４）の開放状態を検知した後に開閉部材の閉じ状態を検知したとき、イニシャル動作（この例では、開閉部材がユーザーによって開閉操作されてピックアップローラ３２１が上昇位置から意図せずに降下したとして或いは降下した可能性があるとして、ピックアップローラ３２１を上昇位置に上昇させておくイニシャル動作の制御）を行う。ここで、ピックアップローラ３２１を上昇位置に上昇させておくイニシャル動作は、この例では、駆動軸３２４が回転駆動方向Ｓ１とは反対方向Ｓ２に回転して旋回支持部材３２６が上昇方向Ｔ２に旋回し、ピックアップローラ３２１が上昇位置に位置するように予め定めた所定の時間又は回数だけ駆動モータ６１０を回転させた後に停止させる動作とされている。
【０１８０】
また、従来の画像形成装置は、省電力モードの低消費電力状態から通常消費電力状態に復帰するときにも、省電力モードからの復帰動作の制御として構成部材へのイニシャル動作の制御を行う。この場合、省電力モードの低消費電力状態から通常消費電力状態に復帰するにあたり、開閉部材の開閉状態に関わらず（すなわち省電力モード中には開閉部材の開閉状態を検知することなく）、省電力モードからの復帰動作の制御として常にイニシャル動作の制御を行うようになっていた。
【０１８１】
しかしながら、このような従来の画像形成装置では、省電力モードの低消費電力状態から通常消費電力状態に復帰するにあたり、開閉部材の開閉状態に関わらず、省電力モードからの復帰動作の制御として常にイニシャル動作の制御を行うので、省電力モードからの復帰動作の制御を常に行うことに伴う不都合（例えば、ユーザーはイニシャル動作の制御を行う間待たされる、構成部材をイニシャル動作（この例ではピックアップローラを上昇）させる際に発生する騒音がユーザーを不快に感じさせる、或いは、人感センサーの検知結果により人が居ることを検出した場合に省電力モードの低消費電力状態から通常消費電力状態に復帰させる構成では、ユーザーが画像形成装置に近づいただけで、イニシャル動作の制御を行うことがユーザーを不快に感じさせるといった不都合）を招く。
【０１８２】
（省電力モードからの復帰動作の制御）
この点、本実施の形態では、記憶部１２２は、検知部（この例では第１開閉検知スイッチ３４０、第２開閉検知スイッチ３６０、第３開閉検知スイッチ１４０、第４開閉検知スイッチ１６０及び第５開閉検知スイッチ１８０）の検知結果を記憶する。制御部１２０は、省電力モード中に画像形成装置１００の動作状態を検知部で検知して検知部の検知結果を記憶部１２２に記憶させ、省電力モードの低消費電力状態から通常消費電力状態に復帰するにあたり、記憶部１２２に記憶されている検知部の検知結果に基づいて省電力モードからの復帰動作の制御を変更するようになっている。
【０１８３】
詳しくは、制御部１２０は、省電力モード中に開閉部材（この例では開閉ガイド部材３１１、原稿送り装置３００、給紙トレイ３１、開閉カバー部材１１３及び開閉ガイド部材１１４）の開閉状態を検知部（この例では第１開閉検知スイッチ３４０、第２開閉検知スイッチ３６０、第３開閉検知スイッチ１４０、第４開閉検知スイッチ１６０及び第５開閉検知スイッチ１８０）で検知して検知部の検知結果による開閉部材の開閉状態を記憶部１２２に記憶させる。制御部１２０は、省電力モードの低消費電力状態から通常消費電力状態に復帰するにあたり、記憶部１２２に記憶されている検知部の検知結果により省電力モード中に開閉部材の開閉状態を検知した場合に、省電力モードからの復帰動作の制御として構成部材へのイニシャル動作の制御を行う一方、記憶部１２２に記憶されている検知部の検知結果により省電力モード中に開閉部材の開閉状態を検知しなかった場合に、省電力モードからの復帰動作の制御としてイニシャル動作の制御を行わない。
【０１８４】
（第１実施形態）
第１実施形態では、制御部１２０は、通常消費電力状態（具体的には待機状態）及び省電力モード中に開閉部材（具体的には開閉ガイド部材３１１）の開閉状態を検知部（具体的には第１開閉検知スイッチ３４０）で検知する。
【０１８５】
制御部１２０は、通常消費電力状態では、検知部（具体的には第１開閉検知スイッチ３４０）の検知結果により開閉部材（具体的には開閉ガイド部材３１１）の開放状態を検知した後に開閉部材の閉じ状態を検知すると、ピックアップローラ３２１を上昇位置に上昇させておくイニシャル動作の制御を行う。
【０１８６】
また、制御部１２０は、省電力モード中に検知部（具体的には第１開閉検知スイッチ３４０）の検知結果による開閉部材（具体的には開閉ガイド部材３１１）の開閉状態を記憶部１２２に記憶させる。
【０１８７】
制御部１２０は、省電力モードの低消費電力状態から通常消費電力状態に復帰するにあたり、記憶部１２２に記憶されている検知部（具体的には第１開閉検知スイッチ３４０）の検知結果により省電力モード中に開閉部材（具体的には開閉ガイド部材３１１）の開閉状態を検知した場合に、省電力モードからの復帰動作の制御としてピックアップローラ３２１へのイニシャル動作の制御を行う。
【０１８８】
一方、制御部１２０は、省電力モードの低消費電力状態から通常消費電力状態に復帰するにあたり、記憶部１２２に記憶されている検知部（具体的には第１開閉検知スイッチ３４０）の検知結果により省電力モード中に開閉部材（具体的には開閉ガイド部材３１１）の開閉状態を検知しなかった場合に、省電力モードからの復帰動作の制御としてピックアップローラ３２１へのイニシャル動作の制御を行わない。
【０１８９】
（第２実施形態）
第２実施形態では、制御部１２０は、通常消費電力状態（具体的には待機状態）及び省電力モード中に開閉部材（具体的には原稿送り装置３００）の開閉状態を検知部（具体的には第２開閉検知スイッチ３６０）で検知する。
【０１９０】
制御部１２０は、通常消費電力状態では、検知部（具体的には第２開閉検知スイッチ３６０）の検知結果により開閉部材（具体的には原稿送り装置３００）の開放状態を検知した後に開閉部材の閉じ状態を検知すると、ピックアップローラ３２１を上昇位置に上昇させておくイニシャル動作の制御を行う。
【０１９１】
また、制御部１２０は、省電力モード中に検知部（具体的には第２開閉検知スイッチ３６０）の検知結果による開閉部材（具体的には原稿送り装置３００）の開閉状態を記憶部１２２に記憶させる。
【０１９２】
制御部１２０は、省電力モードの低消費電力状態から通常消費電力状態に復帰するにあたり、記憶部１２２に記憶されている検知部（具体的には第２開閉検知スイッチ３６０）の検知結果により省電力モード中に開閉部材（具体的には原稿送り装置３００）の開閉状態を検知した場合に、省電力モードからの復帰動作の制御としてピックアップローラ３２１へのイニシャル動作の制御を行う。
【０１９３】
一方、制御部１２０は、省電力モードの低消費電力状態から通常消費電力状態に復帰するにあたり、記憶部１２２に記憶されている検知部（具体的には第２開閉検知スイッチ３６０）の検知結果により省電力モード中に開閉部材（具体的には原稿送り装置３００）の開閉状態を検知しなかった場合に、省電力モードからの復帰動作の制御としてピックアップローラ３２１へのイニシャル動作の制御を行わない。
【０１９４】
（第３実施形態）
第３実施形態では、制御部１２０は、通常消費電力状態（具体的には待機状態）及び省電力モード中に開閉部材（具体的には給紙トレイ３１）の開閉状態を検知部（具体的には第３開閉検知スイッチ１４０）で検知する。
【０１９５】
制御部１２０は、通常消費電力状態では、検知部（具体的には第３開閉検知スイッチ１４０）の検知結果により開閉部材（具体的には給紙トレイ３１）の開放状態を検知した後に開閉部材の閉じ状態を検知すると、ピックアップローラ３２１を上昇位置に上昇させておくイニシャル動作の制御を行う。
【０１９６】
また、制御部１２０は、省電力モード中に検知部（具体的には第３開閉検知スイッチ１４０）の検知結果による開閉部材（具体的には給紙トレイ３１）の開閉状態を記憶部１２２に記憶させる。
【０１９７】
制御部１２０は、省電力モードの低消費電力状態から通常消費電力状態に復帰するにあたり、記憶部１２２に記憶されている検知部（具体的には第３開閉検知スイッチ１４０）の検知結果により省電力モード中に開閉部材（具体的には給紙トレイ３１）の開閉状態を検知した場合に、省電力モードからの復帰動作の制御としてピックアップローラ３２１へのイニシャル動作の制御を行う。
【０１９８】
一方、制御部１２０は、省電力モードの低消費電力状態から通常消費電力状態に復帰するにあたり、記憶部１２２に記憶されている検知部（具体的には第３開閉検知スイッチ１４０）の検知結果により省電力モード中に開閉部材（具体的には給紙トレイ３１）の開閉状態を検知しなかった場合に、省電力モードからの復帰動作の制御としてピックアップローラ３２１へのイニシャル動作の制御を行わない。
【０１９９】
（第４実施形態）
第４実施形態では、制御部１２０は、通常消費電力状態（具体的には待機状態）及び省電力モード中に開閉部材（具体的には開閉カバー部材１１３）の開閉状態を検知部（具体的には第４開閉検知スイッチ１６０）で検知する。
【０２００】
制御部１２０は、通常消費電力状態では、検知部（具体的には第４開閉検知スイッチ１６０）の検知結果により開閉部材（具体的には開閉カバー部材１１３）の開放状態を検知した後に開閉部材の閉じ状態を検知すると、ピックアップローラ３２１を上昇位置に上昇させておくイニシャル動作の制御を行う。
【０２０１】
また、制御部１２０は、省電力モード中に検知部（具体的には第４開閉検知スイッチ１６０）の検知結果による開閉部材（具体的には開閉カバー部材１１３）の開閉状態を記憶部１２２に記憶させる。
【０２０２】
制御部１２０は、省電力モードの低消費電力状態から通常消費電力状態に復帰するにあたり、記憶部１２２に記憶されている検知部（具体的には第４開閉検知スイッチ１６０）の検知結果により省電力モード中に開閉部材（具体的には開閉カバー部材１１３）の開閉状態を検知した場合に、省電力モードからの復帰動作の制御としてピックアップローラ３２１へのイニシャル動作の制御を行う。
【０２０３】
一方、制御部１２０は、省電力モードの低消費電力状態から通常消費電力状態に復帰するにあたり、記憶部１２２に記憶されている検知部（具体的には第４開閉検知スイッチ１６０）の検知結果により省電力モード中に開閉部材（具体的には開閉カバー部材１１３）の開閉状態を検知しなかった場合に、省電力モードからの復帰動作の制御としてピックアップローラ３２１へのイニシャル動作の制御を行わない。
【０２０４】
（第５実施形態）
第５実施形態では、制御部１２０は、通常消費電力状態（具体的には待機状態）及び省電力モード中に開閉部材（具体的には開閉ガイド部材１１４）の開閉状態を検知部（具体的には第５開閉検知スイッチ１８０）で検知する。
【０２０５】
制御部１２０は、通常消費電力状態では、検知部（具体的には第５開閉検知スイッチ１８０）の検知結果により開閉部材（具体的には開閉ガイド部材１１４）の開放状態を検知した後に開閉部材の閉じ状態を検知すると、ピックアップローラ３２１を上昇位置に上昇させておくイニシャル動作の制御を行う。
【０２０６】
また、制御部１２０は、省電力モード中に検知部（具体的には第５開閉検知スイッチ１８０）の検知結果による開閉部材（具体的には開閉ガイド部材１１４）の開閉状態を記憶部１２２に記憶させる。
【０２０７】
制御部１２０は、省電力モードの低消費電力状態から通常消費電力状態に復帰するにあたり、記憶部１２２に記憶されている検知部（具体的には第５開閉検知スイッチ１８０）の検知結果により省電力モード中に開閉部材（具体的には開閉ガイド部材１１４）の開閉状態を検知した場合に、省電力モードからの復帰動作の制御としてピックアップローラ３２１へのイニシャル動作の制御を行う。
【０２０８】
一方、制御部１２０は、省電力モードの低消費電力状態から通常消費電力状態に復帰するにあたり、記憶部１２２に記憶されている検知部（具体的には第５開閉検知スイッチ１８０）の検知結果により省電力モード中に開閉部材（具体的には開閉ガイド部材１１４）の開閉状態を検知しなかった場合に、省電力モードからの復帰動作の制御としてピックアップローラ３２１へのイニシャル動作の制御を行わない。
【０２０９】
なお、第１実施形態から第５実施形態において、省電力モードの低消費電力状態は、スタンバイ状態も含む。
【０２１０】
（開閉部材の閉じ情報及び開放情報）
図１３は、記憶部１２２に格納される開閉部材の閉じ情報及び開放情報を模式的に示す模式図である。
【０２１１】
（１）イニシャル動作の制御の実行（開閉状態検知）
ここで、第１実施形態から第５実施形態において、省電力モード中に開閉部材（この例では開閉ガイド部材３１１、原稿送り装置３００、給紙トレイ３１、開閉カバー部材１１３及び開閉ガイド部材１１４）の開閉状態を検知する例として、次の場合を例示できる。
【０２１２】
（１−１）省電力モード開始時に開閉部材が閉じており、省電力モード中に開閉部材が開放した後、閉じた場合。この場合には、記憶部１２２において、省電力モード開始時であることを示す第１格納領域１２２ａに閉じ情報（例えば「１」）が格納され、省電力モード中であることを示す第２格納領域１２２ｂに開放情報（例えば「０」）と閉じ情報（例えば「１」）とがこの順に格納される。
【０２１３】
（１−２）省電力モード開始時に開閉部材が開放しており、省電力モード中に開閉部材が閉じた場合。この場合には、記憶部１２２において、第１格納領域１２２ａに開放情報（例えば「０」）が格納され、第２格納領域１２２ｂに閉じ情報（例えば「１」）が格納される。
【０２１４】
そして、制御部１２０は、前記（１−１）及び前記（１−２）の何れかの場合には、ピックアップローラ３２１へのイニシャル動作の制御を行う。
【０２１５】
（２）イニシャル動作の制御の非実行（開閉状態非検知）
また、省電力モード中に開閉部材（この例では開閉ガイド部材３１１、原稿送り装置３００、給紙トレイ３１、開閉カバー部材１１３及び開閉ガイド部材１１４）の開閉状態を検知しない例として、次の場合を例示できる。
【０２１６】
（２−１）省電力モード開始時に開閉部材が閉じており、省電力モード中も開閉部材が閉じている場合。この場合には、記憶部１２２において、第１格納領域１２２ａに閉じ情報（例えば「１」）が格納され、第２格納領域１２２ｂに閉じ情報（例えば「１」）が格納される。
【０２１７】
（２−２）省電力モード開始時に開閉部材が開放しており、省電力モード中も開閉部材が開放している場合。この場合には、記憶部１２２において、第１格納領域１２２ａに開放情報（例えば「０」）が格納され、第２格納領域１２２ｂに開放情報（例えば「０」）が格納される。
【０２１８】
（２−３）省電力モード開始時に開閉部材が閉じており、省電力モード中に開閉部材が開放したままの場合。この場合には、記憶部１２２において、第１格納領域１２２ａに閉じ情報（例えば「１」）が格納され、第２格納領域１２２ｂに開放情報（例えば「０」）が格納される。
【０２１９】
そして、制御部１２０は、前記（２−１）から前記（２−３）の何れか場合には、ピックアップローラ３２１へのイニシャル動作の制御を行わない。
【０２２０】
なお、画像形成装置１００の構成或いは検知する開閉部材の種類によっては、前記（２−３）の場合にイニシャル動作の制御を行ってもよい。
【０２２１】
（イニシャル動作の制御例）
−通常消費電力状態−
図１４は、通常消費電力状態での第１実施形態から第５実施形態に係るイニシャル動作の制御の一例を示すフローチャートである。
【０２２２】
図１４に示すように、通常消費電力状態では、先ず、制御部１２０は、検知部（この例では第１開閉検知スイッチ３４０、第２開閉検知スイッチ３６０、第３開閉検知スイッチ１４０、第４開閉検知スイッチ１６０及び第５開閉検知スイッチ１８０）にて開閉部材（この例では開閉ガイド部材３１１、原稿送り装置３００、給紙トレイ３１、開閉カバー部材１１３及び開閉ガイド部材１１４）の開放状態を検知した後に開閉部材の閉じ状態を検知する開閉部材の開閉状態の検知があったか否かを判断する（ステップＳａ１）。
【０２２３】
次に、制御部１２０は、開閉部材の開閉状態の検知があったと判断した場合には（ステップＳａ１：Ｙｅｓ）、ピックアップローラ３２１へのイニシャル動作の制御を実行し（ステップＳａ２）、ステップＳａ１に移行する。
【０２２４】
一方、制御部１２０は、開閉部材の開閉状態の検知がないと判断した場合には（ステップＳａ１：Ｎｏ）、ピックアップローラ３２１へのイニシャル動作の制御を実行せずに（ステップＳａ３）、そのまま、ステップＳａ１に移行する。
【０２２５】
−省電力モード−
図１５は、省電力モードでの第１実施形態から第５実施形態に係るイニシャル動作の制御の一例を示すフローチャートである。
【０２２６】
図１５に示すように、省電力モードでは、先ず、制御部１２０は、検知部（この例では第１開閉検知スイッチ３４０、第２開閉検知スイッチ３６０、第３開閉検知スイッチ１４０、第４開閉検知スイッチ１６０及び第５開閉検知スイッチ１８０）にて開閉部材（この例では開閉ガイド部材３１１、原稿送り装置３００、給紙トレイ３１、開閉カバー部材１１３及び開閉ガイド部材１１４）の開閉状態の検知があったか否かを判断する（ステップＳｂ１）。
【０２２７】
次に、制御部１２０は、開閉部材の開閉状態の検知があったと判断した場合には（ステップＳｂ１：Ｙｅｓ）、省電力モードの低消費電力状態から通常消費電力状態に復帰するまで待機し（ステップＳｂ２：Ｎｏ）、省電力モードの低消費電力状態から通常消費電力状態に復帰すると（ステップＳｂ２：Ｙｅｓ）、ピックアップローラ３２１へのイニシャル動作の制御を実行し（ステップＳｂ３）、処理を終了（通常消費電力状態に移行）する。
【０２２８】
一方、制御部１２０は、開閉部材の開閉状態の検知がないと判断した場合には（ステップＳｂ１：Ｎｏ）、省電力モードの低消費電力状態から通常消費電力状態に復帰したか否かを判断する（ステップＳｂ４）。
【０２２９】
次に、制御部１２０は、省電力モードの低消費電力状態から通常消費電力状態に復帰していないと判断した場合には（ステップＳｂ４：Ｎｏ）、ステップＳｂ１に移行する一方、省電力モードの低消費電力状態から通常消費電力状態に復帰したと判断した場合には（ステップＳｂ４：Ｙｅｓ）、ピックアップローラ３２１へのイニシャル動作の制御を実行せずに（ステップＳｂ５）、処理を終了（通常消費電力状態に移行）する。
【０２３０】
（その他の実施形態）
この例では、構成部材を原稿送り装置３００におけるピックアップローラ３２１としたが、構成部材は、省電力モードからの復帰動作の制御として行うものであれば、何れのものであってもよい。
【０２３１】
（本実施の形態について）
以上説明した画像形成装置１００によれば、画像形成装置１００の動作状態を検知する検知部（この例では第１開閉検知スイッチ３４０、第２開閉検知スイッチ３６０、第３開閉検知スイッチ１４０、第４開閉検知スイッチ１６０及び第５開閉検知スイッチ１８０）と、検知部の検知結果を記憶する記憶部１２２とを備え、省電力モード中に画像形成装置１００の動作状態を検知部で検知して検知部の検知結果を記憶部１２２に記憶させ、省電力モードの低消費電力状態から通常消費電力状態に復帰するにあたり、記憶部１２２に記憶されている検知部の検知結果に基づいて省電力モードからの復帰動作の制御を変更するので、記憶部１２２に記憶されている検知部の検知結果によっては省電力モードからの復帰動作の制御を行わないようにすることができ、従って、省電力モードの低消費電力状態から通常消費電力状態に復帰するにあたり、省電力モードからの復帰動作の制御を常に行うことに伴う不都合を回避できる。しかも、省電力モード中に画像形成装置１００の動作状態を検知部で検知して検知部の検知結果を記憶部１２２に記憶させるので、省電力モード中の画像形成装置１００の動作状態に基づいた省電力モードからの復帰動作の制御を確実に行うことができる。
【０２３２】
また、本実施の形態では、省電力モードの低消費電力状態から通常消費電力状態に復帰するにあたり、記憶部１２２に記憶されている検知部（この例では第１開閉検知スイッチ３４０、第２開閉検知スイッチ３６０、第３開閉検知スイッチ１４０、第４開閉検知スイッチ１６０及び第５開閉検知スイッチ１８０）の検知結果により省電力モード中に開閉部材（この例では開閉ガイド部材３１１、原稿送り装置３００、給紙トレイ３１、開閉カバー部材１１３及び開閉ガイド部材１１４）の開閉状態を検知した場合に、省電力モードからの復帰動作の制御として構成部材へのイニシャル動作の制御を行う一方、記憶部１２２に記憶されている検知部の検知結果により省電力モード中に開閉部材の開閉状態を検知しなかった場合に、省電力モードからの復帰動作の制御としてイニシャル動作の制御を行わないことで、無駄なイニシャル動作の制御をなくすことができる。従って、省電力モードからの復帰動作の制御を常に行うことに伴う不都合（例えば、ユーザーはイニシャル動作の制御の間待たされことがなく、構成部材をイニシャル動作させる際に発生する騒音がユーザーを不快に感じさせる、或いは、本実施の形態のように、人感センサー４０の検知結果により人が居ることを検出した場合に省電力モードの低消費電力状態から通常消費電力状態に復帰させる構成では、ユーザーが画像形成装置１００に近づいただけで、イニシャル動作の制御を行うことがユーザーを不快に感じさせるといった不都合）を回避することができる。
【０２３３】
また、本実施の形態では、通常消費電力状態において、開閉部材（例えば、開閉ガイド部材３１１、原稿送り装置３００、給紙トレイ３１、開閉カバー部材１１３及び開閉ガイド部材１１４）の開閉状態を検知部（例えば、第１開閉検知スイッチ３４０、第２開閉検知スイッチ３６０、第３開閉検知スイッチ１４０、第４開閉検知スイッチ１６０及び第５開閉検知スイッチ１８０）で検知し、検知部の検知結果により開閉部材の開放状態を検知した後に開閉部材の閉じ状態を検知すると、イニシャル動作の制御を行うことで、通常消費電力状態においてイニシャル動作の制御を確実に行うことができる。
【０２３４】
また、本実施の形態では、イニシャル動作は、ピックアップローラ３２１を上昇位置に上昇させておく動作であることで、省電力モード中に開閉部材がユーザーにより開閉操作されずにピックアップローラ３２１が上昇位置から降下していないとみなして無駄なイニシャル動作の制御（この例ではピックアップローラ３２１を上昇させる制御）をなくすことができる。
【０２３５】
また、本実施の形態では、原稿移動読取構成を備えた画像読取装置２００を備え、画像読取装置２００は、ピックアップローラ３２１を有する原稿送り装置３００を備え、開閉部材（この例では開閉ガイド部材３１１）は、原稿送り装置本体３００ａに対して開閉可能であり、且つ、ピックアップローラ３２１が設けられていることで、省電力モードの低消費電力状態から通常消費電力状態に復帰するにあたり、記憶部１２２に記憶されている検知部（この例では第１開閉検知スイッチ３４０）の検知結果により省電力モード中に開閉部材（この例では開閉ガイド部材３１１）の開閉状態を検知しなかった場合に、イニシャル動作の制御を行わないようにすることができ、これにより、開閉部材（この例では開閉ガイド部材３１１）がユーザーにより開閉操作されずにピックアップローラ３２１が上昇位置から降下していないとみなして無駄なイニシャル動作の制御をなくすことができる。
【０２３６】
また、本実施の形態では、原稿移動読取構成と原稿固定読取構成とを備えた画像読取装置２００を備え、画像読取装置２００は、ピックアップローラ３２１を有する原稿送り装置３００と、原稿載置台４１０を有する原稿読取装置４００とを備え、開閉部材は、原稿読取装置４００に対して開閉可能であり、且つ、閉じた状態で原稿載置台４１０に載置された原稿Ｇを押さえる原稿送り装置３００であることで、省電力モードの低消費電力状態から通常消費電力状態に復帰するにあたり、記憶部１２２に記憶されている検知部（この例では第２開閉検知スイッチ３６０）の検知結果により省電力モード中に原稿送り装置３００の開閉状態を検知しなかった場合に、イニシャル動作の制御を行わないようにすることができ、これにより、原稿送り装置３００がユーザーにより開閉操作されずにピックアップローラ３２１が上昇位置から降下していないとみなして無駄なイニシャル動作の制御をなくすことができる。
【０２３７】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【０２３８】
３１      給紙トレイ（開閉部材の例）
４０      人感センサー
１００    画像形成装置
１１０    画像形成装置本体
１１１    シート供給装置
１１２    シート搬送装置
１１３    開閉カバー部材（開閉部材の例）
１１４    開閉ガイド部材（開閉部材の例）
１２０    制御部
１２１    処理部
１２２    記憶部
１２２ａ  第１格納領域
１２２ｂ  第２格納領域
１４０    第３開閉検知スイッチ
１５０    第３作動部
１６０    第４開閉検知スイッチ
１７０    第４作動部
１８０    第５開閉検知スイッチ
１９０    第５作動部
２００    画像読取装置
３００    原稿送り装置（開閉部材の例）
３００ａ  原稿送り装置本体
３０１    原稿トレイ
３０２    排出トレイ
３０３    シート搬送路
３１０    シート搬送ガイド部
３１１    開閉ガイド部材（開閉部材の例）
３２０    シート供給装置
３２１    ピックアップローラ
３２２    シート供給ローラ
３２３    分離ローラ
３３０    シート搬送装置
３４０    第１開閉検知スイッチ
３５０    第１作動部
３６０    第２開閉検知スイッチ
３７０    第２作動部
４００    原稿読取装置
４１０    原稿載置台
４１１    原稿台ガラス
４１２    原稿読取ガラス
４２０    光源ユニット
６００    駆動装置
６１０    駆動モータ
６２０    ギヤ列
６２１    第１駆動伝達ギヤ
６２２    第２駆動伝達ギヤ
６２３    中間ギヤ
６２４    支持軸
Ｇ        原稿（シートの一例）
Ｐ        記録シート
Ｒ１      シート搬送路
Ｓ１      回転駆動方向
Ｓ２      反対方向
Ｔ１      下降方向
Ｔ２      上昇方向
Ｗ        往復移動方向
Ｘ        幅方向
Ｙ        左右方向
Ｚ        上下方向
【図１】
2017074708.tif 000003
【図２】
2017074708.tif 000004
【図３】
2017074708.tif 000005
【図４】
2017074708.tif 000006
【図５】
2017074708.tif 000007
【図６】
2017074708.tif 000008
【図７】
2017074708.tif 000009
【図８】
2017074708.tif 000010
【図９】
2017074708.tif 000011
【図１０】
2017074708.tif 000012
【図１１】
2017074708.tif 000013
【図１２】
2017074708.tif 000014
【図１３】
2017074708.tif 000015
【図１４】
2017074708.tif 000016
【図１５】
2017074708.tif 000017